(57)【要約】１を超える直鎖アルキルベンゼンスルホネート対アルキルエトキシル化サルフェートの比を有する粒子を含む水溶性単位用量が、本明細書に記載される。
2021535951.tif 000002
【特許請求の範囲】
【請求項１】
１超、好ましくは１．０１〜３、より好ましくは１．０５〜２．５、更により好ましくは１．１〜２．０の直鎖アルキルベンゼンスルホネート対アルキルエトキシル化サルフェートの比率を含む粒子を含む水溶性繊維構造体を含む、水溶性単位用量物品。
【請求項２】
前記水溶性単位用量物品が、５重量％未満の無機溶解助剤、好ましくは０重量％〜５重量％の無機溶解助剤、より好ましくは０．０１重量％〜３重量％の無機溶解助剤、更により好ましくは０．００１重量％〜１重量％の無機溶解助剤を含む、請求項１に記載の水溶性単位用量物品。
【請求項３】
前記粒子が、５重量％未満の無機溶解助剤、好ましくは０重量％〜５重量％の無機溶解助剤、より好ましくは０．０１重量％〜３重量％の無機溶解助剤、更により好ましくは０．００１重量％〜１重量％の無機溶解助剤を含む、請求項１又は２に記載の水溶性単位用量物品。
【請求項４】
前記無機溶解助剤がゼオライトを含む、請求項２又は３に記載の水溶性単位用量物品。
【請求項５】
前記アルキルエトキシル化サルフェートが、好ましくは約１〜約３．５、より好ましくは約１〜約３、更により好ましくは約１〜約２の平均エトキシル化度を有する、請求項１〜４のいずれか一項に記載の水溶性単位用量物品。
【請求項６】
前記粒子が、リットルあたり５００グラム（ｇ／Ｌ）未満、好ましくは５０ｇ／Ｌ〜４５０ｇ／Ｌ、より好ましくは１００ｇ／Ｌ〜４００ｇ／Ｌ、更により好ましくは２００ｇ／Ｌ〜４００ｇ／Ｌの密度を示す、請求項１〜５のいずれか一項に記載の水溶性単位用量。
【請求項７】
前記水溶性単位用量がレオロジー変性剤を含み、前記レオロジー変性剤は、アルコキシル化アミン、好ましくはアルコキシル化ポリアミン、より好ましくは四級化又は非四級化アルコキシル化ポリエチレンイミンからなる群から選択され、前記アルコキシル化ポリアルキレンイミンは、ポリアルキレンイミンコア中の少なくとも１つの窒素原子に結合している１つ以上のアルコキシ側鎖を有するポリアルキレンイミンコアと、エチレンオキシド−プロピレンオキシド−エチレンオキシド（ＥＯｘ１ＰＯｙＥＯｘ２）トリブロックコポリマーであって、ｘ１及びｘ２のそれぞれは約２〜約１４０の範囲であり、ｙは約１５〜約７０の範囲であるトリブロックコポリマーと、これらの混合物と、を有する、請求項１〜６のいずれか一項に記載の水溶性単位用量。
【請求項８】
前記アルコキシル化アミンが、エトキシレート（ＥＯ）基、プロポキシレート（ＰＯ）基、又はこれらの組み合わせ、好ましくはエトキシレート（ＥＯ）基を含む、請求項７に記載の水溶性単位用量物品。
【請求項９】
前記粒子は、Ｄ１０が約３００マイクロメートル超で、かつＤ９０が約１１００マイクロメートル未満であるような粒径分布を示す、請求項１〜８のいずれか一項に記載の水溶性単位用量物品。
【請求項１０】
前記粒子は、Ｄ１０が３００マイクロメートル〜５００マイクロメートルであるような粒径分布を示す、請求項１〜８のいずれか一項に記載の水溶性単位用量物品。
【請求項１１】
前記水溶性単位用量が香料マイクロカプセルを含む、請求項１〜１０のいずれか一項に記載の水溶性単位用量物品。
【請求項１２】
前記水溶性単位用量が色調剤を含む、請求項１〜１１のいずれか一項に記載の水溶性単位用量物品。
【請求項１３】
前記水溶性単位用量が漂白剤を含む、請求項１〜１２のいずれか一項に記載の水溶性単位用量物品。
【請求項１４】
前記水溶性単位用量が酵素を含む、請求項１〜１３のいずれか一項に記載の水溶性単位用量物品。
【請求項１５】
前記水溶性単位用量が印刷領域を含む、請求項１〜１４のいずれか一項に記載の水溶性単位用量物品。
【請求項１６】
前記水溶性単位用量が嫌悪剤を含む、請求項１〜１５のいずれか一項に記載の水溶性単位用量物品。
【請求項１７】
前記水溶性単位用量が非イオン性界面活性剤を含む、請求項１〜１６のいずれか一項に記載の水溶性単位用量物品。
【発明の詳細な説明】
【技術分野】
【０００１】
水溶性繊維構造体と１つ以上の粒子とを含む水溶性単位用量物品の形態の、布地上に活性剤を送達する家庭用ケア組成物、並びにその作製方法が本明細書に記載される。
【背景技術】
【０００２】
水溶性単位用量物品は、布地又は硬質表面処理組成物を投入する便利で、効率的で、かつ清潔な方法を提供するので、消費者に望まれている。水溶性単位用量物品は、計量された投入量の処理組成物を提供することにより、過剰投入又は過少投入が避けられる。繊維性水溶性単位用量物品に対する消費者の関心がますます高まってきている。このような物品に関連する技術は、消費者が達成しようとする作業を行うことを可能にする物品と共に、所望の活性剤を供給するという面から進化し続けている。
【０００３】
多くの消費者は、前世代よりも少ない水を利用する洗濯機を使用する。したがって、限られた量の流体に素早く溶解することができる、繊維性水溶性単位用量を配合する繊維性水溶性単位用量物品が必要とされている。限られた流体中でより速く溶解することで、洗浄剤が容易に利用可能となるようにこれらを放出することができる。驚くべきことに、本明細書に記載されるように、望ましい密度及び粒径分布を有する低密度粒子を含む水溶性単位用量物品は、同様の量の界面活性剤を送達しながら、その他の組成物に対して改善された溶解プロファイルを示すことが見出された。
【発明の概要】
【課題を解決するための手段】
【０００４】
１を超える直鎖アルキルベンゼンスルホネート対アルキルエトキシル化サルフェートの比率を有する粒子を含む水溶性繊維構造体を含む水溶性単位用量が、本明細書に記載される。
【図面の簡単な説明】
【０００５】
【図１】多プライ繊維構造体の例の断面図を概略的に表すものである。
【図２】水溶性単位用量物品の例の断面図を示すマイクロＣＴスキャン画像である。
【図３】材料のプライを作製するプロセスである。
【図４】新規設計を具現化する単回用量洗濯洗剤単位の一実施形態の斜視図である。
【図５】図４の単回用量洗濯洗剤単位の正面図である。
【図６】図４の単回用量洗濯洗剤単位の右側図である。
【図７】図４の単回用量洗濯洗剤単位の背面図である。
【図８】図４の単回用量洗濯洗剤単位の左側図である。
【図９】図４の単回用量洗濯洗剤単位の底面図である。
【図１０】図４の単回用量洗濯洗剤単位の上面図である。
【図１１】新規設計を具現化する単回用量洗濯洗剤単位の一実施形態の斜視図である。
【図１２】図１１の単回用量洗濯洗剤単位の正面図である。
【図１３】図１１の単回用量洗濯洗剤単位の右側図である。
【図１４】図１１の単回用量洗濯洗剤単位の背面図である。
【図１５】図１１の単回用量洗濯洗剤単位の左側図である。
【図１６】図１１の単回用量洗濯洗剤単位の底面図である。
【図１７】図１１の単回用量洗濯洗剤単位の上面図である。
【図１８】新規設計を具現化する単回用量洗濯洗剤単位の一実施形態の斜視図である。
【図１９】図１８の単回用量洗濯洗剤単位の正面図である。
【図２０】図１８の単回用量洗濯洗剤単位の右側図である。
【図２１】図１８の単回用量洗濯洗剤単位の背面図である。
【図２２】図１８の単回用量洗濯洗剤単位の左側図である。
【図２３】図１８の単回用量洗濯洗剤単位の底面図である。
【図２４】図１８の単回用量洗濯洗剤単位の上面図である。
【図２５】新規設計を具現化する単回用量洗濯洗剤単位の一実施形態の斜視図である。
【図２６】図２５の単回用量洗濯洗剤単位の正面図である。
【図２７】図２５の単回用量洗濯洗剤単位の右側図である。
【図２８】図２５の単回用量洗濯洗剤単位の背面図である。
【図２９】図２５の単回用量洗濯洗剤単位の左側図である。
【図３０】図２５の単回用量洗濯洗剤単位の底面図である。
【図３１】図２５の単回用量洗濯洗剤単位の上面図である。
【図３２】新規設計を具現化する単回用量洗濯洗剤単位の一実施形態の斜視図である。
【図３３】図３２の単回用量洗濯洗剤単位の正面図である。
【図３４】図３２の単回用量洗濯洗剤単位の右側図である。
【図３５】図３２の単回用量洗濯洗剤単位の背面図である。
【図３６】図３２の単回用量洗濯洗剤単位の左側図である。
【図３７】図３２の単回用量洗濯洗剤単位の底面図である。
【図３８】図３２の単回用量洗濯洗剤単位の上面図である。
【図３９】新規設計を具現化する蓋を有さない容器の一実施形態の斜視図である。
【図４０】図３９の容器の右側図である。
【図４１】図３９の容器の背面図である。
【図４２】図３９の容器の左側図である。
【図４３】図３９の容器の正面図である。
【図４４】図３９の容器の上面図である。
【図４５】図３９の容器の底面図である。
【図４６】新規設計を具現化する蓋を有する容器の一実施形態の斜視図である。
【図４７】図４６の容器の右側図である。
【図４８】図４６の容器の背面図である。
【図４９】図４６の容器の左側図である。
【図５０】図４６の容器の正面図である。
【図５１】図４６の容器の上面図である。
【図５２】図４６の容器の底面図である。
【発明を実施するための形態】
【０００６】
定義
本発明の特性及び利点は、本発明の幅広い表現を与えるよう意図される例を含む以下の記述から明らかになる。種々の修正がこの記述及び本発明の実施から当業者には明白である。この範囲は開示される特定の形態に限定されるようには意図されず、本発明は、特許請求の範囲によって定義されるような本発明の趣旨及び範囲内に含まれる全ての変更、均等物、及び代替物を網羅する。
【０００７】
本明細書で使用する場合、「ｔｈｅ」、「ａ」及び「ａｎ」を含む冠詞は、特許請求の範囲又は明細書において使用される場合、特許請求又は記載されているものの１つ以上のものを意味すると理解される。
【０００８】
本明細書で使用する場合、用語「含む（include）」、「含む（includes）」及び「含んでいる（including）」は、非限定であることが意図される。
【０００９】
用語「実質的に含まない」又は「実質的にない」は、本明細書で使用する場合、その成分が完全に存在しないこと、又は単に不純物として若しくは別の成分の意図されない副産物として、その最少量であることのいずれかを意味する。ある成分を「実質的に含まない」組成物とは、組成物が、組成物の約０．５重量％、０．２５重量％、０．１重量％、０．０５重量％、又は０．０１重量％未満、又は更には０重量％しか当該成分を含まないことを意味する。
【００１０】
用語「含む」は、用語「含む」が「からなる」又は「から本質的になる」ことを意味する実施形態も含むことを理解すべきである。
【００１１】
本明細書で使用する場合、「皮脂」とは、皮脂腺の油性分泌、及び皮脂腺の油性分泌を再現することを意図した任意の人工組成物の油性分泌を意味する。代表的な皮脂としては、欧州特許第１４８２９０７号に記載の人工皮脂、欧州特許第０１４２８３０Ｂ１号に記載の人工皮脂、Ｄ４２６５−１４に準じる人工皮脂、ＣＦＴ  ＰＣＳ−１３２として販売されている人工皮脂が挙げられるが、これらに限定されない。ＣＦＴ  ＰＣＳ−１３２は、１８％の遊離脂肪酸、３２％の牛脂（ステアリン酸／オレイン酸トリグリセリド）、４の％脂肪酸トリグリセリド、１２％の炭化水素混合物、１８％のラノリン（ろう質エステル、Ｃ１３−Ｃ２４）、１２％のクチーナ（ワックス及びワックスエステル）、及び４％のコレステロールの推定組成を有する。
【００１２】
引用される特許文献及びその他の文献は全て、関連部分において、あたかもそれが本明細書に完全に再び述べられているかのように参照により組み込まれる。いかなる特許文献又はその他の文献の引用も、引用される特許文献及びその他の文献が本発明に対する先行技術であると認めるものではない。
【００１３】
本明細書において、特に指示がない限り、全ての濃度及び比率は、組成物の重量基準である。
【００１４】
本明細書の全体を通して与えられる全ての最大数値限定は、それよりも小さい全ての数値限定を、このようなより小さい数値限定があたかも本明細書に明確に記載されているかのように含むものと理解すべきである。本明細書の全体を通して与えられる全ての最小数値限定は、それよりも高い全ての数値限定を、このようなより高い数値限定があたかも本明細書に明確に記載されているかのように含む。本明細書の全体を通して与えられる全ての数値範囲は、このようなより広い数値範囲内に含まれるより狭い全ての数値範囲を、このようなより狭い数値範囲があたかも全て本明細書に明確に記載されているかのように含む。
【００１５】
繊維性水溶性単位用量物品
本明細書で使用する場合、語句「水溶性単位用量物品」、「水溶性繊維構造体」、及び「水溶性繊維要素」は、単位用量物品、繊維構造体、及び繊維要素が水と混和性であることを意味する。換言すれば、単位用量物品、繊維構造体、又は繊維要素は、周囲条件で水と均質な溶液を形成することができる。本明細書で使用する場合、「周囲条件」とは、２３℃±１．０℃及び相対湿度５０％±２％を意味する。水溶性単位用量物品は、水性洗浄条件で約２０マイクロメートル未満又は約５０マイクロメートル未満の懸濁平均粒径で分散可能である不溶性物質を含有していてもよい。
【００１６】
繊維性水溶性単位用量物品は、参照によりその全体が組み込まれる、米国特許出願第１５／８８０，５９４号（２０１８年１月２６日出願）、米国特許出願第１５／８８０，５９９号（２０１８年１月２６日出願）、及び米国特許出願第１５／８８０，６０４号（２０１８年１月２６日出願）に見出される開示のいずれかを含んでもよい。
【００１７】
これら繊維性水溶性単位用量物品は、種々の洗浄条件下、例えば、低温、少ない水量及び／又は短い洗浄サイクル若しくは消費者が洗濯機に、特に高い吸水能を有する品目を入れすぎた場合のサイクルの下で溶解することができると同時に、（今日の液体製品と同様の性能で）対象とする消費者基材に対して、意図する効果を発揮するのに十分な活性剤を送達する。更に、本明細書に記載の水溶性単位用量物品は、活性剤を含む繊維を紡糸することによって、経済的に製造することができる。本明細書に記載の水溶性単位用量物品は、改善された洗浄性能も有する。
【００１８】
繊維性水溶性単位用量物品の表面は、印刷領域を含んでもよい。印刷領域は、物品の表面の約１０〜約１００％を網羅していてもよい。印刷領域は、インク、顔料、染料、青味剤、又はこれらの混合物を含んでもよい。印刷領域は、不透明でも、半透明でも、透明でもよい。印刷領域は、単色を含んでも、複数の色を含んでもよい。印刷領域は、物品の１つを超える側面上に存在してよく、説明の文章及び／又は図形を含んでもよい。水溶性単位用量物品の表面は、嫌悪剤、例えば、苦味剤を含んでもよい。好適な苦味剤としては、ナリンギン、スクロース八酢酸、塩酸キニーネ、安息香酸デナトニウム、又はこれらの混合物が挙げられるが、これらに限定されない。任意の好適な濃度の嫌悪剤を使用してもよい。好適な濃度としては、１〜５０００ｐｐｍ、あるいは１００〜２５００ｐｐｍ、あるいは２５０〜２０００ｐｐｍが挙げられるが、これらに限定されない。
【００１９】
本明細書に開示される水溶性単位用量物品は、水溶性繊維構造体及び１つ以上の粒子を含む。水溶性繊維構造体は、複数の繊維要素、例えば複数のフィラメントを含んでもよい。１つ以上の粒子、例えば１つ以上の活性剤含有粒子は、構造体全体にわたって分布していてもよい。水溶性単位用量物品は、相互に絡み合っているか、ないしは別の方法で互いに関連付けられて繊維構造体を形成する複数の２つ以上及び／又は３つ以上の繊維要素と、繊維構造体全体にわたって分布し得る１つ以上の粒子とを含んでもよい。
【００２０】
繊維性水溶性単位用量物品は、本明細書に記載の厚さ試験法によって測定した場合に、０．０１ｍｍ超、及び／又は０．０５ｍｍ超、及び／又は０．１ｍｍ超、及び／又は約１００ｍｍ以下、及び／又は約５０ｍｍ以下、及び／又は約２０ｍｍ以下、及び／又は約１０ｍｍ以下、及び／又は約５ｍｍ以下、及び／又は約２ｍｍ以下、及び／又は約０．５ｍｍ以下、及び／又は約０．３ｍｍ以下の厚さを示してもよい。
【００２１】
繊維性水溶性単位用量物品は、本明細書に記載の坪量試験法に従って測定した場合に、約５００グラム／ｍ２〜約５，０００グラム／ｍ２、又は約１，０００グラム／ｍ２〜約４，０００グラム／ｍ２、又は約１，５００グラム／ｍ２〜約３，５００グラム／ｍ２、又は約２，０００グラム／ｍ２〜約３，０００グラム／ｍ２の坪量を有してもよい。
【００２２】
繊維性水溶性単位用量物品は、水溶性繊維構造体と、構造体全体にわたって分布する複数の粒子とを含んでもよく、水溶性繊維構造体は、組成上の観点から、同一又は実質的に同一の複数の繊維要素を含む。水溶性繊維構造体は、２つ以上の異なる繊維要素を含んでもよい。繊維要素の相違点の非限定的な例は、直径、長さ、質感、形状、剛性、弾性の違いなどの物理的な違いと、架橋レベル、溶解度、融点、Ｔｇ、活性剤、フィラメント形成材料、色、活性剤の濃度、坪量、フィラメント形成材料の濃度、繊維要素上の任意のコーティングの存在、生分解性であるか否か、疎水性であるか否か、接触角などの化学的な違いと、意図される使用条件に繊維要素が曝された場合に、繊維要素がその物理的構造を失うかどうかの違いと、意図される使用条件に繊維要素が曝された場合に、繊維要素の形態が変化するかどうかの違いと、及び意図される使用条件に繊維要素が曝された場合に、繊維要素がその活性剤のうちの１つ以上を放出する速度の違いと、であり得る。繊維構造体内の２つ以上の繊維要素は、異なる活性剤を含んでもよい。これは、異なる活性剤、例えばアニオン性界面活性剤及びカチオン性ポリマーが、互いに不適合であり得る場合にあり得る。異なる繊維要素を使用する場合に、得られる構造体は、異なる湿潤、吸水、及び溶解度の特徴を示してもよい。
【００２３】
繊維性水溶性単位用量物品は、異なる領域、例えば坪量、密度、キャリパー（caliper）、及び／又は湿潤の特徴の異なる領域を示してもよい。繊維性水溶性単位用量物品は、端封点で圧縮されてもよい。繊維性水溶性単位用量物品は、その表面の１つ以上に織り目（texture）を含んでもよい。繊維性水溶性単位用量物品の表面は、非ランダムな反復パターンなどのパターンを含んでもよい。繊維性水溶性単位用量物品は、開口部を含んでもよい。繊維性水溶性単位用量物品は、構造体における繊維要素のその他の領域とは異なる、繊維要素の離散領域を有する繊維構造体を含んでもよい。繊維性水溶性単位用量物品は、そのまま使用されてもよく、１つ以上の活性剤でコーティングされてもよい。
【００２４】
繊維性水溶性単位用量物品は、１つ以上のプライを含んでもよい。繊維性水溶性単位用量物品は、少なくとも２つの、及び／又は少なくとも３つの、及び／又は少なくとも４つの、及び／又は少なくとも５つのプライを含んでもよい。繊維性プライは、繊維構造体であり得る。各プライは、１つ以上の層、例えば、１つ以上の繊維要素層、１つ以上の粒子層、及び／又は１つ以上の繊維要素／粒子混合層を含んでもよい。層（複数可）は封止されてもよい。特に、粒子層及び繊維要素／粒子混合層は、粒子が漏出しないように封止されてもよい。水溶性単位用量物品は、複数のプライを含んでもよく、各プライは、１つの層が繊維要素層であり、１つの層が繊維要素／粒子混合層である２つの層を含み、複数のプライは（例えば、縁部で）一緒に封止される。封止は、粒子の漏出を阻止することに加えて、単位用量物品がその元の構造を維持するのに役立ち得る。ただし水溶性単位用量物品を水に添加した際には、単位用量物品は溶解して、粒子を洗浄液中に放出する。
【００２５】
図２は、３つのプライを含む水溶性単位用量物品の例の断面図を示すマイクロＣＴスキャン画像であり、図中、各プライは、繊維要素層及び繊維要素／粒子混合層の２つの層で形成されている。３つのプライのそれぞれは、複数の繊維要素３０であってこの場合はフィラメントと、複数の粒子３２とを含む。多プライの多層物品は、粒子が漏出しないように縁部２００で封止される。物品２０２の外面は、繊維要素層である。
【００２６】
繊維要素及び／又は粒子は、異なる活性剤を含む２つ以上の領域を水溶性単位用量物品に提供するように、当該物品内、単一プライ内、又は複数のプライ内に配置されてもよい。例えば、物品の１つの領域は、漂白剤及び／又は界面活性剤を含んでもよく、物品の別の領域は、柔軟剤を含んでもよい。
【００２７】
繊維性水溶性単位用量物品は、消費者が水溶性物品と相互作用する形態から始まり、水溶性物品が作製される原材料、例えば、プライ、繊維構造体、及び粒子に向かって逆に作用するように階層的に見ることができる。繊維性プライは、繊維構造体であり得る。例えば、図１は、第１のプライ１０及び第１のプライ１０に関連付けられている第２のプライ１５を示し、第１のプライ１０及び第２のプライ１５はそれぞれ、複数の繊維要素３０、この場合フィラメントと複数の粒子３２とを含む。第２のプライ１５では、粒子３２は、ｘ軸、ｙ軸、及びｚ軸にランダムに分散しており、第１のプライでは、粒子３２はポケット内にある。
【００２８】
本明細書に記載の水溶性単位用量物品は、水溶性繊維構造体と、（ａ）約１０重量％〜約８０重量％のアルキルアルコキシル化サルフェート、及び（ｂ）約０．５重量％〜約２０重量％のレオロジー変性剤を含む１つ以上のレオロジー変性粒子と、を含んでもよい。本明細書に記載の粒子は、（上記の界面活性剤に加えて）１つ以上の追加の活性剤を含んでもよい。
【００２９】
レオロジー変性粒子は、
（ａ）約１０重量％〜約８０重量％のアルキルアルコキシル化サルフェートと、
（ｂ）約０．５重量％〜約２０重量％の、アルコキシル化アミン、好ましくはアルコキシル化ポリアミン、より好ましくは四級化又は非四級化アルコキシル化ポリエチレンイミンからなる群から選択されるレオロジー変性剤であって、当該アルコキシル化ポリアルキレンイミンが、ポリアルキレンイミンコアにおける少なくとも１つの窒素原子に結合している１以上のアルコキシ側鎖を有するポリアルキレンイミンコア、エチレンオキシド−プロピレンオキシド−エチレンオキシド（ＥＯｘ１ＰＯｙＥＯｘ２）トリブロックコポリマーであって、ｘ１及びｘ２のそれぞれは約２〜約１４０の範囲であり、ｙは約１５〜約７０の範囲であるトリブロックコポリマー、及びこれらの混合物を有する、レオロジー変性剤と、を含んでもよい。
【００３０】
本明細書で使用する場合、用語「レオロジー変性剤」とは、濃縮界面活性剤の粘度及び弾性を実質的に低下させるように、濃縮界面活性剤、好ましくは中間状態の相構造を有する濃縮界面活性剤と相互作用する材料を意味する。好適なレオロジー変性剤としては、ソルビトールエトキシレート、グリセロールエトキシレート、ソルビタンエステル、タローアルキルエトキシル化アルコール、エチレンオキシド−プロピレンオキシド−エチレンオキシド（ＥＯｘ１ＰＯｙＥＯｘ２）トリブロックコポリマーであって、ｘ１及びｘ２のそれぞれは約２〜約１４０の範囲であり、ｙは約１５〜約７０の範囲であるトリブロックコポリマー、アルコキシル化アミン、アルコキシル化ポリアミン、ポリエチレンイミン（ＰＥＩ）、ＰＥＩのアルコキシル化変異型、好ましくはエトキシル化ＰＥＩ、及びこれらの混合物が挙げられるが、これらに限定されない。レオロジー変性剤は、約２，０００ダルトン〜約８，０００ダルトンの重量平均分子量を有するポリエチレングリコール（polyethylene glycol、ＰＥＧ）と組み合わせて、上記のポリマーの１つ、例えば、エトキシル化ＰＥＩを含んでもよい。
【００３１】
本明細書で使用する場合、用語「機能性レオロジー変性剤」とは、追加の洗剤機能性を有するレオロジー変性剤を意味する。場合によっては、本明細書で以下に記載される分散剤ポリマーが機能性レオロジー変性剤としても機能し得る。機能性レオロジー変性剤は、組成物の約０．５重量％〜約２０重量％、好ましくは約１重量％〜約１５重量％、より好ましくは約２重量％〜約１０重量％の濃度で本発明の洗剤粒子中に存在してもよい。
【００３２】
理論に束縛されるものではないが、機能性レオロジー変性剤は、中間相界面活性剤、特にアルコール系アニオン性サルフェート界面活性剤の分子構造と相互作用することができ、当該中間相は、固相界面活性剤よりも多くの水を有し、洗浄溶液に特有のミセル相よりも少ない水を有すると考えられる。換言すれば、中間相界面活性剤は、水溶性繊維構造体及び粒子を含む繊維性水溶性単位用量物品の成功使用において達成され得る、固体からミセル相への移行状態を表し、この中間状態のレオロジーが過剰に粘稠である又は粘着性である場合、不十分な局所希釈及び／又は不十分な剪断の状況下で、布地に望ましくない残渣が生じる場合がある。当該中間相の粘度及び弾性を実質的に低減することにより、レオロジー変性剤が分散を支援するので、布地に残渣が形成されるリスクが軽減する。更に、形成され得る任意の残渣、例えば、塊状ゲルについては、レオロジー変性剤がその残存を低減することができる。正味の効果は、洗浄を介して布地に残存する界面活性剤残渣の発生を軽減することである。
【００３３】
アルコキシル化アミン：アルコキシル化アミンは、濃縮界面活性剤混合物のｐＨの範囲にわたって部分的に又は完全にプロトン化されていてもよく、プロトン化されていなくてもよい。あるいは、アルコキシル化アミンは、部分的に又は完全に四級化されていてもよい。アルコキシル化アミンは、非四級化されていてよい。アルコキシル化アミンは、エトキシレート（ＥＯ）基を含んでもよい。
【００３４】
アルコキシル化アミンは、直鎖状、分枝状、又はこれらの組み合わせであってもよく、好ましくは分枝状であってもよい。
【００３５】
アルコキシル化アミンは、Ｎ，Ｎ，Ｎ’，Ｎ’−テトラ（２−ヒドロキシエチル）エチレンジアミン（ヒドロキシアルキルアミンの種類としても記載される）などの２つ以上のアミン部分を含有してもよい。Ｎ，Ｎ，Ｎ’，Ｎ’−テトラ（２−ヒドロキシエチル）エチレンジアミンは、キレート剤としても機能する。
【００３６】
アルコキシル化アミンは、アルコキシル化ポリアルキレンイミンを含むアルコキシル化アミンを含んでもよい（又はアルコキシル化ポリアルキレンイミンを含むアルコキシル化アミンであってもよい）。アルコキシル化ポリアルキレンイミンは、アルコキシル化ポリエチレンイミン（ＰＥＩ）であってもよい。
【００３７】
典型的には、アルコキシル化ポリアルキレンイミンポリマーは、ポリアルキレンイミン骨格鎖を含む。ポリアルキルイミンは、Ｃ２アルキル基、Ｃ３アルキル基、又はこれらの混合物、好ましくはＣ２アルキル基を含んでもよい。アルコキシル化ポリアルキレンイミンポリマーは、ポリエチレンイミン（「ＰＥＩ」）骨格鎖を有してもよい。
【００３８】
アルコキシル化ＰＥＩは、エトキシル化前に測定した際に、約４００〜約１０００、又は約５００〜約７５０、又は約５５０〜約６５０、又は約６００の重量平均分子量を有するポリエチレンイミン骨格鎖を含んでもよい。
【００３９】
本明細書に記載のポリマーのＰＥＩ骨格鎖は、アルコキシル化前に、以下の一般実験式：
【００４０】
【化１】
2021535951.tif 000003
（式中、Ｂは、分岐によるこの構造の連続を表す）を有してもよい。いくつかの態様では、ｎ＋ｍは、８、又は１０、又は１２、又は１４、又は１８、又は２２以上である。
【００４１】
アルコキシル化ポリアルキレンイミンポリマーは、アルコキシル化窒素基を含む。アルコキシル化ポリアルキレンイミンポリマーは、独立して、アルコキシル化窒素１個あたり平均して、約５０以下、又は約４０以下、又は約３５以下、又は約３０以下、又は約２５以下、又は約２０以下のアルコキシレート基を含んでもよい。アルコキシル化ポリアルキレンイミンポリマーは、独立して、アルコキシル化窒素１個あたり平均して、少なくとも約５、又は少なくとも約１０、又は少なくとも約１５、又は少なくとも約２０のアルコキシレート基を含んでもよい。
【００４２】
アルコキシル化ポリアルキレンイミンポリマー、好ましくはアルコキシル化ＰＥＩは、エトキシレート（ＥＯ）基、プロポキシレート（ＰＯ）基、又はこれらの組み合わせを含んでもよい。アルコキシル化ポリアルキレンイミンポリマー、好ましくはアルコキシル化ＰＥＩは、エトキシレート（ＥＯ）基を含んでもよい。アルコキシル化ポリアルキレンイミンポリマー、好ましくはアルコキシル化ＰＥＩは、プロポキシレート（ＰＯ）基を含まなくてもよい。
【００４３】
アルコキシル化アミン、好ましくはアルコキシル化ポリアルキレンイミンポリマー、より好ましくはアルコキシル化ＰＥＩは、アルコキシル化窒素１個あたり平均して、約１〜５０のエトキシレート（ＥＯ）基及び約０〜５のプロポキシレート（ＰＯ）基を含んでもよい。アルコキシル化ポリアルキレンイミンポリマー、好ましくはアルコキシル化ＰＥＩは、アルコキシル化窒素１個あたり平均して、約１〜５０のエトキシレート（ＥＯ）基を含んでもよく、かつプロポキシレート（ＰＯ）基を含まない。アルコキシル化ポリアルキレンイミンポリマー、好ましくはアルコキシル化ＰＥＩは、アルコキシル化窒素１個あたり平均して、約１０〜３０のエトキシレート（ＥＯ）基、好ましくは約１５〜２５のエトキシレート（ＥＯ）基を含んでもよい。
【００４４】
好適なポリアミンとしては、低分子量、水溶性、かつ軽度にアルコキシル化されたエトキシル化／プロポキシル化ポリアルキレンアミンポリマーが挙げられる。「軽度にアルコキシル化された」とは、本発明のポリマーが、窒素１個あたり平均して約０．５〜約２０、又は０．５〜約１０のアルコキシル化を生じさせることを意味する。ポリアミンは「実質的に非荷電」であってもよく、これはｐＨ１０又はｐＨ７でポリアルキレンアミンポリマーの主鎖中に存在する約４０個の窒素ごとに約２個以下の正電荷が存在することを意味する。しかし、ポリマーの電荷密度はｐＨと共に変化し得ることが認識されている。
【００４５】
ＰＥＩ６００  ＥＯ２０などの好適なアルコキシル化ポリアルキレンイミンは、ＢＡＳＦ（Ｌｕｄｗｉｇｓｈａｆｅｎ，Ｇｅｒｍａｎｙ）から入手可能である。
【００４６】
エチレンオキシド−プロピレンオキシド−エチレンオキシド（ＥＯｘ１ＰＯｙＥＯｘ２）トリブロックコポリマー：エチレンオキシド−プロピレンオキシド−エチレンオキシド（ＥＯｘ１ＰＯｙＥＯｘ２）トリブロックコポリマーにおいて、ｘ１及びｘ２のそれぞれは約２〜約１４０の範囲であり、ｙは約１５〜約７０の範囲である。エチレンオキシド−プロピレンオキシド−エチレンオキシド（ＥＯｘ１ＰＯｙＥＯｘ２）トリブロックコポリマーは、好ましくは、２０〜７０、好ましくは３０〜６０、より好ましくは４５〜５５のプロピレンオキシド単位の平均プロピレンオキシド鎖長を有する。
【００４７】
好ましくは、エチレンオキシド−プロピレンオキシド−エチレンオキシド（ＥＯｘ１ＰＯｙＥＯｘ２）トリブロックコポリマーは、約１０００〜約１０，０００ダルトン、好ましくは約１５００〜約８０００ダルトン、より好ましくは約２０００〜約７０００ダルトン、更により好ましくは約２５００〜約５０００ダルトン、最も好ましくは約３５００〜約３８００ダルトンの重量平均分子量を有する。
【００４８】
好ましくは、各エチレンオキシドブロック又は鎖は、独立して、２〜９０、好ましくは３〜５０、より好ましくは４〜２０のエチレンオキシド単位の平均鎖長を有する。
【００４９】
好ましくは、コポリマーは、コポリマーの１０重量％〜９０重量％、好ましくは１５重量％〜５０重量％、最も好ましくは１５重量％〜２５重量％の複合エチレン−オキシドブロックを含む。最も好ましくは、総エチレンオキシド含量は、２つのエチレンオキシドブロックに等しく分けられる。本明細書において等しく分けられるとは、各エチレンオキシドブロックが、平均でエチレンオキシド単位の総数の４０％〜６０％、好ましくは４５％〜５５％、更により好ましくは４８％〜５２％、最も好ましくは５０％を含み、両エチレンオキシドブロックの％が合計１００％になることを意味する。いくつかのエチレンオキシド−プロピレンオキシド−エチレンオキシド（ＥＯｘ１ＰＯｙＥＯｘ２）トリブロックコポリマーであって、ｘ１及びｘ２のそれぞれが約２〜約１４０の範囲であり、ｙが約１５〜約７０の範囲であるトリブロックコポリマーは、洗浄性を改善する。
【００５０】
好ましくは、コポリマーは、約３５００〜約３８００ダルトンの重量平均分子量、４５〜５５のプロピレンオキシド単位のプロピレンオキシド含量、並びにエチレンオキシドブロックあたり４〜２０のエチレンオキシド単位のエチレンオキシド含量を有する。
【００５１】
好ましくは、エチレンオキシド−プロピレンオキシド−エチレンオキシド（ＥＯｘ１ＰＯｙＥＯｘ２）トリブロックコポリマーは、１０００〜１０，０００ダルトン、好ましくは１５００〜８０００ダルトン、より好ましくは２０００〜７５００ダルトンの重量平均分子量を有する。好ましくは、コポリマーは、コポリマーの１０重量％〜９５重量％、好ましくは１２重量％〜９０重量％、最も好ましくは１５重量％〜８５重量％の複合エチレン−オキシドブロックを含む。いくつかのエチレンオキシド−プロピレンオキシド−エチレンオキシド（ＥＯｘ１ＰＯｙＥＯｘ２）トリブロックコポリマーであって、ｘ１及びｘ２のそれぞれは約２〜約１４０の範囲であり、ｙは約１５〜約７０の範囲であるトリブロックコポリマーは、溶解を改善する。
【００５２】
好適なエチレンオキシド−プロピレンオキシド−エチレンオキシドトリブロックコポリマーは、ＢＡＳＦ社からＰｌｕｒｏｎｉｃ  ＰＥシリーズとして又はＤｏｗ  Ｃｈｅｍｉｃａｌ社からＴｅｒｇｉｔｏｌ  Ｌシリーズとして市販されている。特に好適な材料は、Ｐｌｕｒｏｎｉｃ  ＰＥ  ９２００である。
【００５３】
アルキルアルコキシル化サルフェート：アルキルアルコキシル化サルフェート（ＡＡＳ）は、アルキルエトキシル化サルフェート（ＡＥＳ）、好ましくは約０．５〜約３．０の平均エトキシル化度を有するエトキシル化Ｃ１２〜Ｃ１８アルキルサルフェートであってよい。
【００５４】
典型的には、アルキルアルコキシル化サルフェートのレオロジー変性剤に対する重量比は、４：１〜４０：１の範囲である。アルキルアルコキシル化サルフェートのレオロジー変性剤に対する重量比は、アルキルアルコキシル化サルフェートのアルコール前駆体の分子量、アルコキシル化度、及びブレンドされた界面活性剤系中のＬＡＳ／ＡＥＳのブレンド比に依存し得る。例えば、約１．０（例えば、ＮａＡＥ１Ｓ）のエトキシル化度、約１／３のＮａＬＡＳ／ＮａＡＥ１Ｓブレンド比、及び１２個〜１５個の炭素鎖長ブレンドを有するＡＥ１アルコール前駆体の場合、機能性レオロジー変性剤／ＮａＡＥ１Ｓ質量比は、溶解を改善するために、例えば５％〜１０％などの、少なくとも約４％であってもよく、１４個〜１５個の炭素鎖長ブレンドを有するより高ＭＷのアルコール前駆体の場合、好ましい機能性レオロジー変性剤／ＮａＡＥ１Ｓ質量比は、例えば９％〜２０％などの、少なくとも約９％であってもよい。機能性レオロジー変性剤の濃度は、広範囲の可能なアニオン性界面活性剤材料及びそのブレンド比にわたって製品の溶解を維持するように調整することができる。
【００５５】
ＮａＡＥＳ界面活性剤の質量に対するレオロジー変性剤（ＲＭ）の質量は、以下の関係に従うことができる。ＲＭ／ＮａＡＥＳ≧ｆ（ａｌｃ）／（ａ×（ＬＡＳ／ＡＥＳ）＋ｂ）（式中、ｆ（ａｌｃ）は、ＡＥＳ界面活性剤を作製するために使用されるアルコールの構造及び分子量の関数であり、（ＬＡＳ／ＡＥＳ）は、界面活性剤ペースト中のＬＡＳのＡＥＳに対するブレンド比であり、ａは〜３０であり、ｂは〜２である）。Ｃ１２〜Ｃ１５の直鎖状アルコールエトキシレート（Ｃ２５ＡＥ１）の基準ブレンドについては、ｆ（ａｌｃ）は〜１．０であり、Ｃ１４〜Ｃ１５の直鎖状アルコールエトキシレート（Ｃ４５ＡＥ１）の基準ブレンドについては、ｆ（ａｌｃ）は〜１．２である。上記指針は、エトキシル化度及びエトキシル化アルコール前駆体のＡＥＳ界面活性剤への任意の分岐構造に更に依存する。上記指針は、ガイダンス比として表すことができ、≧１の値は、改善された溶解を示し得、＜１の値は、より悪い溶解を示し得る。ガイダンス比は、（ＲＭ／ＮａＡＥＳ）／（ｆ（ａｌｃ）／（３０×（ＬＡＳ／ＡＥＳ）＋２））である。
【００５６】
粒子は、約１５重量％〜約６０重量％、若しくは２０重量％〜４０重量％のアルキルアルコキシル化サルフェート、又は３０重量％〜８０重量％、若しくは更には５０重量％〜７０重量％のアルキルアルコキシル化サルフェートを含んでもよい。
【００５７】
粒子は、アルキルベンゼンスルホネート、例えば、直鎖状アルキルベンゼンスルホネート（ＬＡＳ）を含んでもよい。粒子は、１重量％〜５０重量％のアルキルベンゼンスルホネート、又は５重量％〜３０重量％のアルキルベンゼンスルホネートを含んでもよい。
【００５８】
粒子は、Ｄ５０が約１５０マイクロメートル超〜約１７００マイクロメートル未満になるような粒径分布を有してもよい。粒子は、Ｄ５０が約２１２マイクロメートル超〜約１１８０マイクロメートル未満になるような粒径分布を有してもよい。粒子は、Ｄ５０が約３００マイクロメートル超〜約８５０マイクロメートル未満になるような粒径分布を有してもよい。粒子は、Ｄ５０が約３５０マイクロメートル超〜約７００マイクロメートル未満になるような粒径分布を有してもよい。粒子は、Ｄ２０が約１５０マイクロメートル超であり、Ｄ８０が約１４００マイクロメートル未満になるような粒径分布を有してもよい。粒子は、Ｄ２０が約２００マイクロメートル超であり、Ｄ８０が約１１８０マイクロメートル未満になるような粒径分布を有してもよい。粒子は、Ｄ２０が約２５０マイクロメートル超であり、Ｄ８０が約１０００マイクロメートル未満になるような粒径分布を有してもよい。粒子は、Ｄ１０が約１５０マイクロメートル超であり、Ｄ９０が約１４００マイクロメートル未満になるような粒径分布を有してもよい。粒子は、Ｄ１０が約２００マイクロメートル超であり、Ｄ９０が約１１８０マイクロメートル未満になるような粒径分布を有してもよい。粒子は、Ｄ１０が約２５０マイクロメートル超であり、Ｄ９０が約１０００マイクロメートル未満になるような粒径分布を有してもよい。
【００５９】
粒子は、ビーズ様洗剤又はその誘導体において使用されてもよい。粒子は、Ｄ５０が約１ｍｍ超〜約４．７５ｍｍ未満になるような粒径分布を有してもよい。粒子は、Ｄ５０が約１．７ｍｍ超〜約３．５ｍｍ未満になるような粒径分布を有してもよい。粒子は、Ｄ２０が約１ｍｍ超であり、Ｄ８０が約４．７５ｍｍ未満になるような粒径分布を有してもよい。粒子は、Ｄ２０が約１．７ｍｍ超であり、Ｄ８０が約３．５ｍｍ未満になるような粒径分布を有してもよい。粒子は、Ｄ１０が約１ｍｍ超であり、Ｄ９０が約４．７５ｍｍ未満になるような粒径分布を有してもよい。粒子は、Ｄ１０が約１．７ｍｍ超であり、Ｄ９０が約３．５ｍｍ未満になるような粒径分布を有してもよい。
【００６０】
粒径分布は、本出願人らの粒径分布試験法に従って測定される。
【００６１】
粒子は、約１０重量％〜約８０重量％、好ましくは約２０重量％〜約６０重量％、好ましくは約３０重量％〜約５０重量％の洗剤ビルダーを含んでもよい。
【００６２】
粒子は、約２重量％〜約４０重量％、好ましくは約５重量％〜約３０重量％、好ましくは約１０重量％〜約２０重量％の緩衝剤を含んでもよい。
【００６３】
粒子は、約２重量％〜約２０重量％、好ましくは約５重量％〜約１０重量％のキレート剤を含んでもよい。
【００６４】
粒子は、約２重量％〜約２０重量％、好ましくは約５重量％〜約１０重量％の分散剤ポリマーを含んでもよい。
【００６５】
粒子は、０．５重量％〜１５重量％の可溶性フィルム又は繊維構造化ポリマーを含んでもよい。可溶性フィルム又は繊維構造化ポリマーの例としては、ポリビニルアルコール、ポリビニルピリリドン、ポリエチレンオキシド、変性デンプン又はセルロースポリマー、及びこれらの混合物が挙げられるが、これらに限定されない。このようなポリマーは、可溶性繊維又はフィルム材料、例えば、パウチ材料を含む単位用量製品を含む製品リサイクル流に存在することがあり、この場合、当該リサイクル材料を本粒子に組み込むことが有利である。
【００６６】
粒子は、５００ｇ／Ｌ未満の密度を有してもよい。粒子は、例えば、５０ｇ／Ｌ〜４５０ｇ／Ｌ、１００ｇ／Ｌ〜４００ｇ／Ｌ、１５０ｇ／Ｌ〜３５０ｇ／Ｌ、２００ｇ／Ｌ〜４００ｇ／Ｌ、２５０ｇ／Ｌ〜４００ｇ／Ｌ、又は３００ｇ／Ｌ〜４００ｇ／Ｌなど、４５０ｇ／Ｌ未満の密度を有してもよい。
【００６７】
粒子は、２５０ｇ／Ｌ〜４００ｇ／Ｌの密度を有してもよい一方で、Ｄ１０が約３００マイクロメートル超であり、Ｄ９０が約１１００マイクロメートル未満であるような粒径分布を有する。粒子は、Ｄ１０が３００〜５００マイクロメートルであるような粒径分布を有してもよい。
【００６８】
出願人らは、望ましいサイズ分布に含まれる低密度粒子を使用することによって、界面活性剤の溶解速度及び利用可能性を大幅に増加させながら、高密度粒子と同様のレベルの界面活性剤を送達することができることを見出した。
【００６９】
加えて、低密度高活性粒子の使用は、増加した粒子量の使用を可能にし、それによって、完成した全パッド重量百分率の関数として、より高いレベルの粒子百分率を送達する。
【００７０】
更に、表５に示すように、低密度粒子を使用することにより、ＬＡＳ界面活性剤において、総繊維製品の２０％超（２０％〜４０％など）の有意な増加を可能にする。
【００７１】
レオロジー変性粒子は、例えば、米国特許第２００７／０１９６５０２号に開示されているように、層組成物でコーティング又は少なくとも部分的にコーティングされていてよい。好ましくは、層組成物は、非界面活性剤活性物質を含む。より好ましくは、当該非界面活性剤活性物質は、ビルダー、緩衝剤、及び分散剤ポリマーからなる群から選択される。更により好ましくは、当該非界面活性剤活性物質は、ゼオライトＡ、炭酸ナトリウム、重炭酸ナトリウム、及び可溶性ポリカルボキシレートポリマーからなる群から選択される。これは、活性物質（非限定的な例としてはＡＥＳ）が冷水及び／又は高硬度洗浄水条件下で洗浄するのに好適である場合に特に有利である。層中に活性物質が存在すると、冷水及び／又は硬度耐性化学物質の初期溶解が促進される。理論に束縛されるものではないが、より早い順序で冷水及び硬度耐性化学物質が溶解すると、より多くの従来の洗浄活性物質（非限定的な例としてはＬＡＳ界面活性剤）を保護することができ、その結果、優れた全体的な洗浄性能をもたらすと仮定される。
【００７２】
レオロジー変性粒子の作製プロセス
アルキルアルコキシル化サルフェートアニオン性洗浄界面活性剤とレオロジー変性剤、好ましくは機能性レオロジー変性剤との混合物を含む濃縮水性ペーストを使用して、ペースト凝集プロセスに従ってレオロジー変性洗剤粒子を作製することができる。ペースト凝集プロセスは、（ａ）粉末原材料を混合造粒機内に添加する工程であって、粉末原材料が、１つ以上の乾燥ビルダー、緩衝剤、分散剤ポリマー又はキレート剤成分、必要な粉末プロセス助剤、及び凝集プロセスからリサイクルされた微粉を含み得る、工程と、（ｂ）濃縮界面活性剤と機能性レオロジー変性剤とのプレミックスを含むペーストを添加する工程と、（ｃ）混合造粒機を稼働させて、ペーストに粉末を分散させ、凝集体を形成するのに好適な混合流れ場を提供する工程と、任意選択的に、（ｄ）追加の粉末成分を添加して、凝集体を少なくとも部分的にコーティングし、その表面のべたつきを少なくする工程と、（ｅ）任意選択的に、得られた凝集体を流動床乾燥機内で乾燥させて、過剰な水分を除去する工程と、（ｆ）任意選択的に、流動床冷却器内で凝集体を冷却する工程と、（ｇ）好ましくは、工程ｅ及び／又はｆの流動床から水簸（elutriation）することによって、凝集体の粒径分布から任意の過剰な微粒子を除去し、微粉を工程ａに戻してリサイクルする工程と、（ｈ）好ましくはふるい分類によって、凝集体の粒径分布から過剰なオーバーサイズ粒子を除去する工程と、（ｉ）オーバーサイズ粒子を粉砕し、粉砕された粒子を工程ａ、ｅ、又はｆにリサイクルする工程と、を含む。ペースト凝集プロセスは、バッチプロセス又は連続プロセスであってもよい。
【００７３】
上記の好ましい実施形態の変形形態は、工程（ｂ）の予備混合界面活性剤ペーストとは別の流れに追加のＬＡＳ補助界面活性剤を添加することを含んでもよい。プロセスのオプションとしては、工程（ａ）において、予め中和されたＬＡＳを固体粉末として添加すること、工程（ｂ）において、補助材料として中和又は部分的に中和されたＬＡＳペーストを添加すること、又は工程（ｂ）において、補助材料として液体酸前駆体（ＨＬＡＳ）を添加することが挙げられる。後者の場合、凝集プロセス中にＨＬＡＳを有効に中和するために、工程（ａ）で添加された粉末中に十分な遊離アルカリが存在しなければならない。あるいは、ＨＬＡＳの中和を別個の前処理工程で行ってもよく、まずＨＬＡＳをアルカリ緩衝剤粉末成分及びその他の任意の固体担体と予備混合して、粉末形態のＬＡＳ及びアルカリ緩衝剤粉末の中和された予備混合物を形成し、次いで、上記の工程（ａ）で当該予備混合物を添加する。
【００７４】
下記の表に示されるように、驚くべきことに、粒子凝集プロセス中にＬＡＳを粒子形態で別個の界面活性剤スラリーに添加することによって、例えば、１．０１〜３．０、１．０５〜２．５、１．１〜２．０、１．２〜１．８などの、１超のＬＡＳ対ＡＥＳ比を有する粒子を生成可能である、と見出された。これらの粒子は、容易に入手可能なＬＡＳの量を増加させながら、より低い密度を達成することが可能である。下記の表に示されるように、ＬＡＳを含むウェブと組み合わせた場合、総製品のＬＡＳ対ＡＥＳ比計は、例えば、１．０１〜３．０、１．０５〜２．５、１．１〜２．０、１．２〜１．８などの、１．０超であり得る。
【００７５】
あるいは、アルキルアルコキシル化サルフェートアニオン性洗浄界面活性剤とレオロジー変性剤との混合物を含む濃縮水性ペースト、押出プロセスを使用してもよい。押出プロセスは、当該技術分野において周知である。
【００７６】
あるいは、レオロジー変性洗剤粒子を作製するために、レオロジー変性剤を凝集プロセスにおいて結合剤として使用してもよい。
【００７７】
驚くべきことに、レオロジー変性粒子は、レオロジー変性剤を含まない同じ粒子と比較して、より微細かつより強力である。
【００７８】
ｐＨ調整剤
単回単位用量は、洗浄液のｐＨを８超のｐＨに上昇させる１種以上の塩基ｐＨ調整剤を含んでもよい。好適な塩基ｐＨ調整剤としては、硫酸イオン、リン酸二水素イオン、フッ化物イオン、亜硝酸イオン、酢酸イオン、炭酸水素イオン、硫化水素イオン、アンモニア、炭酸イオン、水酸化物イオン、及びこれらの組み合わせを含む組成物が挙げられるが、これらに限定されない。塩基ｐＨ調整剤の含有は、例えばクエン酸などの酸性ｐＨ調整剤を含めることを除外しない。単回単位用量は、洗浄液の最終ｐＨが、例えば８．２、８．４、８．６、８．８、９、９．２、９．４、９．６、９．８、１０、１０．２、１０．４、１０．６、１０．８、１１、１１．２、１１．４、１１．６、１１．８、１２、１２．２、１２．４、１２．６、１２．８又は１３など、８を超える限り、酸性ｐＨ調整剤を含んでもよい。
【００７９】
濃縮界面活性剤ペースト
濃縮界面活性剤ペーストは、その他の成分と組み合わせてレオロジー変性粒子を形成することができる中間組成物である。濃縮界面活性剤組成物は、以下の成分、すなわち、アルキルアルコキシル化サルフェート界面活性剤を含んでもよい界面活性剤系、本明細書に記載のレオロジー変性剤、有機溶媒系、並びに水を含んでも、これらから本質的になるものであっても、又はこれらからなるものであってもよい。これらの成分は、以下により詳細に記載される。
【００８０】
濃縮界面活性剤組成物は、組成物の約７０重量％〜約９０重量％の界面活性剤系であって、約５０％から、又は約６０％から、又は約７０％から、又は約８０％から、約１００％までのアルキルアルコキシル化サルフェート界面活性剤を含む、界面活性剤系と、組成物の約０．１重量％〜約２５重量％のレオロジー変性剤と、組成物の約５重量％未満の有機溶媒系と、水と、を含んでもよい。ペーストの界面活性剤系は、好ましくは、ＬＡＳ補助界面活性剤を含む。ＬＡＳが界面活性剤系に含まれる場合のＬＡＳ対：ＡＥＳの比は、約０〜約１、好ましくは約０．２〜約０．７、より好ましくは約０．２５〜約０．３５、更により好ましくは０．３〜約０．６であってもよい。
【００８１】
固体担体：好適な固体担体としては、炭酸ナトリウム、硫酸ナトリウム、及びこれらの混合物などの無機塩が挙げられる。その他の好ましい固体担体としては、ゼオライトなどのアルミノケイ酸塩、微粉末形態の乾燥分散剤ポリマー、及び吸収剤グレードのヒュームド又は沈降シリカ（例えば、Ｅｖｏｎｉｋ  Ｉｎｄｕｓｔｒｉｅｓ  ＡＧによって商標名ＳＮ３４０で市販されている沈降親水性シリカ）が挙げられる。固体担体材料の混合物を使用してもよい。
【００８２】
繊維構造体
繊維構造体は、１つ以上の繊維要素を含む。繊維要素は、互いに関連付けられて構造体を形成することができる。繊維構造体は、構造体内及び又は構造体上に粒子を含み得る。繊維構造体は、均質、層状、単一、ゾーン形、又はその他の点で望ましいとおりであってよく、異なる活性剤が種々の前述の部分を画定する。
【００８３】
繊維構造体は、１つ以上の層を含んでもよく、層は共にプライを形成する。
【００８４】
繊維要素
繊維要素は、水溶性であってもよい。繊維要素は、１つ以上のフィラメント形成材料及び／又は界面活性剤などの１つ以上の活性剤を含んでもよい。１つ以上の活性剤は、意図される使用条件に繊維要素及び／又は繊維要素を含む繊維構造体が曝されたときなどに、繊維要素から放出可能であってもよい。
【００８５】
本発明の繊維要素は、好適な紡糸プロセス操作（例えばメルトブロー、スパンボンディング、エレクトロスピニング及び／又は回転紡糸など）を介して、繊維要素形成組成物とも称されるフィラメント形成組成物から紡糸されてもよい。
【００８６】
本明細書で使用する場合、「フィラメント形成組成物」及び／又は「繊維要素形成組成物」は、メルトブローイング及び／又はスパンボンディングなど、本発明の繊維要素を製造するのに好適な組成物を意味する。フィラメント形成組成物は、１つ以上のフィラメント形成材料であって、材料を繊維要素へと紡糸するのに好適とする特性を示す材料を含む。フィラメント形成材料は、ポリマーを含んでもよい。１つ以上のフィラメント形成材料に加えて、フィラメント形成組成物は、１つ以上の活性剤、例えば、界面活性剤を含んでもよい。更に、フィラメント形成組成物は、１種以上の極性溶媒（水など）を含んでもよく、この極性溶媒中に、１つ以上の、例えば全てのフィラメント形成材料及び／又は１つ以上の、例えば全ての活性剤が、繊維要素（フィラメント形成組成物に由来するフィラメントなど）を紡糸する前に溶解及び／又は分散される。
【００８７】
フィラメント形成組成物は、２つ以上の異なるフィラメント形成材料を含んでもよい。したがって、繊維要素は、単成分（１種のフィラメント形成材料）、及び／又は二成分などの多成分であってもよい。２つ以上の異なるフィラメント形成材料をランダムに組み合わせて繊維要素を形成してもよい。２つ以上の異なるフィラメント形成材料は、シースコア型の二成分繊維要素などのように規則正しく結合して繊維要素を形成してもよく、これは、本開示の目的において、異なるフィラメント形成材料のランダムな混合物であるとはみなされない。二成分繊維要素は、サイドバイサイド、シースコア、海島型などの任意の形態であってもよい。
【００８８】
繊維要素は、アルキルアルコキシル化サルフェートを実質的に含まなくてもよい。各繊維要素は、乾燥繊維要素基準で、約０重量％、又は約０．１重量％、又は約５重量％、又は約１０重量％、又は約１５重量％、又は約２０重量％、又は約２５重量％、又は約３０重量％、又は約３５重量％、又は約４０重量％から約０．２重量％、又は約１重量％、又は約５重量％、又は約１０重量％、又は約１５重量％、又は約２０重量％、又は約２５重量％、又は約３０重量％、又は約３５重量％、又は約４０重量％、又は約５０重量％のアルキルアルコキシル化サルフェートを含んでもよい。繊維要素のそれぞれにおけるアルキルアルコキシル化サルフェートの量は、その加工安定性及びフィルム溶解性に影響を及ぼさないように十分に少量である。アルキルアルコキシル化サルフェートは、水に溶解すると、特定の濃度範囲、例えば３０〜６０重量％で高度に粘稠な六角の相を経ることがあり、その結果、ゲル状物質が生じる。したがって、繊維要素に相当量組み込まれた場合、アルキルアルコキシル化サルフェートは、水溶性単位用量物品の水への溶解を著しく減速させ得、更により悪いことには、後で溶解していない固体が残る。それに対応して、このような界面活性剤の大部分は、粒子に配合される。
【００８９】
繊維要素はそれぞれ、少なくとも１つのフィラメント形成材料及び活性剤、好ましくは界面活性剤を含有してもよい。界面活性剤は比較的低い親水性を有していてよいが、その理由は、このような界面活性剤は、希釈されたときに粘稠なゲル様の六方晶相を形成する可能性が低いためである。フィラメントの形成においてこのような界面活性剤を使用することにより、洗浄中のゲル形成を有効に低減することができ、ひいては、溶解がより速くなり得、洗浄における残渣が少なくなるか又はなくなり得る。界面活性剤は、例えば、非アルコキシル化Ｃ６〜Ｃ２０直鎖状又は分枝鎖状アルキルサルフェート（ＡＳ）、Ｃ６〜Ｃ２０直鎖状アルキルベンゼンスルホネート（ＬＡＳ）、及びこれらの組み合わせからなる群から選択することができる。界面活性剤は、Ｃ６〜Ｃ２０直鎖状アルキルベンゼンスルホネート（ＬＡＳ）であってよい。ＬＡＳ界面活性剤は、当該技術分野において周知であり、市販の直鎖状アルキルベンゼンをスルホン化することによって容易に入手することができる。使用することができる例示的なＣ６〜Ｃ２０直鎖状アルキルベンゼンスルホネートとしては、Ｃ６〜Ｃ２０直鎖状アルキルベンゼンスルホン酸のアルカリ金属、アルカリ土類金属、又はアンモニウムの塩、例えば、Ｃ１１〜Ｃ１８又はＣ１１〜Ｃ１４直鎖状アルキルベンゼンスルホン酸のナトリウム、カリウム、マグネシウム、及び／又はアンモニウムの塩が挙げられる。Ｃ１２直鎖状アルキルベンゼンスルホン酸のナトリウム塩又はカリウム塩、例えば、Ｃ１２直鎖状アルキルベンゼンスルホン酸のナトリウム塩、すなわちドデシルベンゼンスルホン酸ナトリウムを、第１の界面活性剤として使用してもよい。
【００９０】
繊維要素は、乾燥繊維要素基準及び／又は乾燥繊維構造体基準で少なくとも約５重量％、及び／又は少なくとも約１０重量％、及び／又は少なくとも約１５重量％、及び／又は少なくとも約２０重量％、及び／又は約８０重量％未満、及び／又は約７５重量％未満、及び／又は約６５重量％未満、及び／又は約６０重量％未満、及び／又は約５５重量％未満、及び／又は約５０重量％未満、及び／又は約４５重量％未満、及び／又は約４０重量％未満、及び／又は約３５重量％未満、及び／又は約３０重量％未満、及び／又は約２５重量％未満のフィラメント形成材料と、乾燥繊維要素基準及び／又は乾燥繊維構造体基準で約２０重量％超、及び／又は少なくとも約３５重量％、及び／又は少なくとも約４０重量％、及び／又は少なくとも約４５重量％、及び／又は少なくとも約５０重量％、及び／又は少なくとも約５５重量％、及び／又は少なくとも約６０重量％、及び／又は少なくとも約６５重量％、及び／又は少なくとも約７０重量％、及び／又は約９５重量％未満、及び／又は約９０重量％未満、及び／又は約８５重量％未満、及び／又は約８０重量％未満、及び／又は約７５重量％未満の活性剤、好ましくは界面活性剤と、を含んでもよい。繊維要素は、乾燥繊維要素基準及び／又は乾燥繊維構造体基準で約８０重量％超の界面活性剤を含んでもよい。
【００９１】
好ましくは、各繊維要素は、十分に高い総界面活性剤含有量、例えば、乾燥繊維要素基準及び／又は乾燥繊維構造体基準で少なくとも約３０重量％、又は少なくとも約４０重量％、又は少なくとも約５０重量％、又は少なくとも約６０重量％、又は少なくとも約７０重量％の第１の界面活性剤を特徴とし得る。
【００９２】
繊維要素中に存在するフィラメント形成材料の総濃度は、乾燥繊維要素基準及び／又は乾燥繊維構造体基準で約５重量％〜約８０重量％未満であってもよく、繊維要素中に存在する界面活性剤の総濃度は、乾燥繊維要素基準及び／又は乾燥繊維構造体基準で約２０重量％超〜約９５重量％であってもよい。
【００９３】
繊維要素の１つ以上は、その他のアニオン性界面活性剤（すなわち、ＡＳ及びＬＡＳ以外）、非イオン性界面活性剤、双性イオン性界面活性剤、両性界面活性剤、カチオン性界面活性剤、及びこれらの組み合わせからなる群から選択される少なくとも１つの追加の界面活性剤を含んでもよい。
【００９４】
その他の好適なアニオン性界面活性剤としては、Ｃ６〜Ｃ２０直鎖状又は分枝鎖状アルキルスルホネート、Ｃ６〜Ｃ２０直鎖状又は分枝鎖状アルキルカルボキシレート、Ｃ６〜Ｃ２０直鎖状又は分枝鎖状アルキルホスフェート、Ｃ６〜Ｃ２０直鎖状又は分枝鎖状アルキルホスホネート、Ｃ６〜Ｃ２０アルキルＮ−メチルグルコースアミド、Ｃ６〜Ｃ２０メチルエステルスルホネート（ＭＥＳ）、及びこれらの組み合わせが挙げられる。
【００９５】
好適な非イオン性界面活性剤としては、アルコキシル化脂肪族アルコールが挙げられる。非イオン性界面活性剤は、式Ｒ（ＯＣ２Ｈ４）ｎＯＨのエトキシル化アルコール及びエトキシル化アルキルフェノールから選択され得、式中、Ｒは、約８個〜約１５個の炭素原子を含有する脂肪族炭化水素ラジカル、及びアルキル基が約８個〜約１２個の炭素原子を含有するアルキルフェニルラジカルからなる群から選択され、ｎの平均値は、約５〜約１５である。本明細書で有用な非イオン性界面活性剤の非限定的な例としては、Ｃ８〜Ｃ１８アルキルエトキシレート、例えば、Ｓｈｅｌｌ製のＮＥＯＤＯＬ（登録商標）非イオン性界面活性剤、アルコキシレート単位がエチレンオキシ単位、プロピレンオキシ単位、又はこれらの混合物であり得る、Ｃ６〜Ｃ１２アルキルフェノールアルコキシレート、Ｃ１２〜Ｃ１８アルコール、及びエチレンオキシド／プロピレンオキシドブロックポリマーとのＣ６〜Ｃ１２アルキルフェノール縮合物、例えば、ＢＡＳＦ製のＰｌｕｒｏｎｉｃ（登録商標）、Ｃ１４〜Ｃ２２中鎖分枝状アルコール、ＢＡ、Ｃ１４〜Ｃ２２中鎖分枝状アルキルアルコキシレート（ＢＡＥｘ、式中、ｘは１〜３０である）、アルキル多糖類、具体的にはアルキルポリグリコシド、ポリヒドロキシ脂肪酸アミド、並びにエーテルキャップしたポリ（オキシアルキル化）アルコール界面活性剤が挙げられる。好適な非イオン性洗浄性界面活性剤としては、アルキルポリグルコシド及びアルキルアルコキシル化アルコールも挙げられる。好適な非イオン性界面活性剤としてはまた、商標名Ｌｕｔｅｎｓｏｌ（登録商標）としてＢＡＳＦから販売されているものが挙げられる。
【００９６】
カチオン性界面活性剤の非限定的な例としては、四級アンモニウム界面活性剤が挙げられ、これは２６個以下の炭素原子を有し得、アルコキシレート四級アンモニウム（ＡＱＡ）界面活性剤、ジメチルヒドロキシエチル四級アンモニウム、ジメチルヒドロキシエチルラウリルアンモニウムクロリド、ポリアミンカチオン性界面活性剤、カチオン性エステル界面活性剤、及びアミノ界面活性剤、例えば、アミドプロピルジメチルアミン（ＡＰＡ）が挙げられる。好適なカチオン性洗浄性界面活性剤としてはまた、アルキルピリジニウム化合物、アルキル四級アンモニウム化合物、アルキル四級ホスホニウム化合物、アルキル三級スルホニウム化合物、及びこれらの混合物が挙げられる。
【００９７】
好適なカチオン性洗浄性界面活性剤は、以下の一般式を有する、四級アンモニウム化合物であり、
（Ｒ）（Ｒ１）（Ｒ２）（Ｒ３）Ｎ＋Ｘ−
式中、Ｒは、直鎖状又は分枝鎖状、置換又は非置換のＣ６〜１８アルキル又はアルケニル部分であり、Ｒ１及びＲ２は、独立して、メチル又はエチル部分から選択され、Ｒ３は、ヒドロキシル、ヒドロキシメチル又はヒドロキシエチル部分であり、Ｘは、電荷的中性を提供するアニオンであり、好適なアニオンとしては、例えばクロリドのようなハロゲン化物、サルフェート、及びスルホネートが挙げられる。好適なカチオン性洗浄性界面活性剤は、モノ−Ｃ６〜１８アルキルモノ−ヒドロキシエチルジメチル四級アンモニウムクロリドである。非常に好適なカチオン性洗浄性界面活性剤は、モノ−Ｃ８〜１０アルキルモノ−ヒドロキシエチルジメチル四級アンモニウムクロリド、モノ−Ｃ１０〜１２アルキルモノ−ヒドロキシエチルジメチル四級アンモニウムクロリド、及びモノ−Ｃ１０アルキルモノ−ヒドロキシエチルジメチル四級アンモニウムクロリドである。
【００９８】
双性イオン性界面活性剤の好適な例としては、複素環式二級及び三級アミンの誘導体を含む、二級及び三級アミンの誘導体、四級アンモニウム、四級ホスホニウム、又は三級スルホニウム化合物の誘導体、アルキルジメチルベタイン、ココジメチルアミドプロピルベタイン、並びにスルホ及びヒドロキシベタインを含むベタイン、Ｃ８〜Ｃ１８（例えば、Ｃ１２〜Ｃ１８）アミンオキシド、Ｎ−アルキル−Ｎ，Ｎ−ジメチルアミノ−１−プロパンスルホネート（アルキル基はＣ８〜Ｃ１８であってよい）が挙げられる。
【００９９】
好適な両性界面活性剤としては、二級若しくは三級アミンの脂肪族誘導体、又は脂肪族基が直鎖状若しくは分枝鎖状であってよく、脂肪族置換基のうちの１つが少なくとも約８個の炭素原子若しくは約８個〜約１８個の炭素原子を含有し、脂肪族置換基のうちの少なくとも１つがアニオン性水可溶化基、例えば、カルボキシ、スルホネート、サルフェートを含有する、複素環式二級及び三級アミンの脂肪族誘導体が挙げられる。好適な両性界面活性剤としてはまた、サルコシネート、グリシナート、タウリネート、及びこれらの混合物が挙げられる。
【０１００】
繊維要素は、アニオン性界面活性剤のみを含有する界面活性剤系、例えば、単一のアニオン性界面活性剤又は２つ以上の異なるアニオン性界面活性剤の組み合わせのいずれかを含んでもよい。あるいは、繊維要素は、例えば、１つ以上のアニオン性界面活性剤と１つ以上の非イオン性界面活性剤との組み合わせ、又は１つ以上のアニオン性界面活性剤と１つ以上の双性イオン性界面活性剤との組み合わせ、又は１つ以上のアニオン性界面活性剤と１つ以上の両性界面活性剤との組み合わせ、又は１つ以上のアニオン性界面活性剤と１つ以上のカチオン性界面活性剤との組み合わせ、又は上記の種類の界面活性剤の全て（すなわち、アニオン性、非イオン性、両性、及びカチオン性）の組み合わせを含有する複合界面活性剤系を含んでもよい。
【０１０１】
一般に、繊維要素は、長さが平均直径を大きく上回る、例えば、長さと平均直径との比が少なくとも約１０である細長い微粒子である。繊維要素は、フィラメント又は繊維であってもよい。フィラメントは、繊維よりも相対的に長い。フィラメントは、約５．０８ｃｍ（２インチ）以上、及び／又は約７．６２ｃｍ（３インチ）以上、及び／又は約１０．１６ｃｍ（４インチ）以上、及び／又は約１５．２４ｃｍ（６インチ）以上の長さを有してもよい。繊維は、約５．０８ｃｍ（２インチ）未満、及び／又は約３．８１ｃｍ（１．５インチ）未満、及び／又は約２．５４ｃｍ（１インチ）未満の長さを有してもよい。
【０１０２】
１つ以上のフィラメント形成材料及び活性剤は、約２．０以下、及び／又は約１．８５以下、及び／又は約１．７未満、及び／又は約１．６未満、及び／又は約１．５未満、及び／又は約１．３未満、及び／又は約１．２未満、及び／又は約１未満、及び／又は約０．７未満、及び／又は約０．５未満、及び／又は約０．４未満、及び／又は約０．３未満、及び／又は約０．１超、及び／又は約０．１５超、及び／又は約０．２超の、活性剤に対するフィラメント形成材料の総濃度の重量比で繊維要素中に存在してもよい。１つ以上のフィラメント形成材料及び活性剤は、約０．２〜約０．７の活性剤に対するフィラメント形成材料の総濃度の重量比で繊維要素中に存在してもよい。
【０１０３】
繊維要素は、乾燥繊維要素基準及び／又は乾燥繊維構造体基準で約１０重量％〜約８０重量％未満のフィラメント形成材料、例えばポリビニルアルコールポリマー、デンプンポリマー、及び／又はカルボキシメチルセルロースポリマーと、乾燥繊維要素基準及び／又は乾燥繊維構造体基準で約２０重量％超〜約９０重量％の活性剤、例えば、界面活性剤と、を含んでもよい。繊維要素は、可塑剤（例えば、グリセリン）及び／又は追加のｐＨ調整剤（例えば、クエン酸）を更に含んでもよい。繊維要素は、約２．０以下の、活性剤に対するフィラメント形成材料の重量比を有してもよい。フィラメント形成材料は、ポリビニルアルコール、デンプン、カルボキシメチルセルロース、ポリエチレンオキシド、及びその他の好適なポリマー、特にヒドロキシル含有ポリマー及びこれらの誘導体からなる群から選択されてもよい。フィラメント形成材料は、約１００，０００ｇ／モル〜約３，０００，０００ｇ／モルの重量平均分子量の範囲であってもよい。この範囲では、フィラメント形成材料は、繊維作製プロセスにおいて繊維の細径化が阻害されるほど弾性ではないように、伸長レオロジーを提供し得ると考えられる。
【０１０４】
１つ以上の活性剤は、意図される使用条件に繊維要素及び／又は繊維要素を含む繊維構造体が曝されたときに、放出可能であり得る及び／又は放出され得る。繊維要素中の１つ以上の活性剤は、界面活性剤、有機ポリマー化合物、及びこれらの混合物からなる群から選択されてもよい。
【０１０５】
繊維要素は、本明細書に記載の直径試験法に従って測定した場合に、約３００μｍ未満、及び／又は約７５μｍ未満、及び／又は約５０μｍ未満、及び／又は約２５μｍ未満、及び／又は約１０μｍ未満、及び／又は約５μｍ未満、及び／又は約１μｍ未満の直径を示してもよい。繊維要素は、本明細書に記載の直径試験法に従って測定した場合に、約１μｍを超える直径を示してもよい。繊維要素の直径を利用して、繊維要素中に存在する１つ以上の活性剤の放出速度、及び／又は繊維要素の物理的構造の劣化及び／又は変化の速度を制御することができる。
【０１０６】
繊維要素は、互いに適合性又は不適合である２つ以上の異なる活性剤を含んでもよい。繊維要素は、繊維要素内の活性剤、及び繊維要素の外面上の活性剤、例えば繊維要素の活性剤コーティングを含んでもよい。繊維要素の外面上の活性剤は、繊維要素内に存在する活性剤と同じであってもよく、又はこれと異なっていてもよい。異なる場合、活性剤は互いに相溶性であってもよく、又は非相溶性であってもよい。１つ以上の活性剤は、繊維要素全体に均一に分布又は実質的に均一に分布してもよい。１つ以上の活性剤は、繊維要素内に離散領域として分布してもよい。
【０１０７】
活性剤
本明細書に記載の水溶性単位用量物品は、１つ以上の活性剤を含有してもよい。活性剤は、（上述のように）繊維要素中に、（上述のように）粒子中に、又は物品中に、予備混合物として存在してもよい。予備混合物は、例えば、水性吸収剤と組み合わされた活性剤のスラリーであってもよい。活性剤は、界面活性剤、構造化剤、ビルダー、有機ポリマー化合物、酵素、酵素安定剤、漂白系、増白剤、色調剤、キレート剤、抑泡剤、コンディショニング剤、保湿剤、香料、香料マイクロカプセル、充填剤又はキャリア、アルカリ性系、ｐＨ制御系、緩衝剤、アルカノールアミン、及びこれらの混合物からなる群から選択されてもよい。
【０１０８】
界面活性剤
界面活性剤は、アニオン性界面活性剤、非イオン性界面活性剤、カチオン性界面活性剤、双性イオン性界面活性剤、両性界面活性剤、両性電解質界面活性剤、及びそれらの混合物からなる群から選択されてもよい。これら界面活性剤は、上により詳細に記載されている。
【０１０９】
酵素
好適な酵素の例としては、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、マンナナーゼ、ペクテートリアーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、及びアミラーゼ、又はこれらの混合物が挙げられるが、これらに限定されない。典型的な組み合わせは、例えば、プロテアーゼと、例えば、アミラーゼ又は上記に列挙したこれらのいずれかと合わせたリパーゼなどの１つ以上の非プロテアーゼ酵素を含み得る酵素カクテルである。
【０１１０】
洗剤組成物中に存在する場合、上記の追加の酵素は、組成物の約０．００００１重量％〜約２重量％、約０．０００１重量％〜約１重量％、又は更には約０．００１重量％〜約０．５重量％の酵素タンパク質濃度で存在してもよい。本明細書に開示される組成物は、リパーゼ、アミラーゼ、プロテアーゼ、マンナナーゼ、セルラーゼ、ペクチナーゼ、及びこれらの混合物からなる群から選択され得る、約０．００１重量％〜約１重量％の酵素（補助剤として）を含んでもよい。
【０１１１】
プロテアーゼ
好ましくは、本酵素組成物は、１つ以上のプロテアーゼを含む。好適なプロテアーゼとしては、メタロプロテアーゼ及びセリンプロテアーゼが挙げられ、例えば、サブチリシン（ＥＣ  ３．４．２１．６２）などの中性又はアルカリ性微生物セリンプロテアーゼを含む。好適なプロテアーゼとしては、動物、植物又は微生物起源のものが挙げられる。一態様では、このような好適なプロテアーゼは、微生物起源のものであってもよい。好適なプロテアーゼとしては、前述の好適なプロテアーゼの化学的又は遺伝的に修飾された突然変異体が挙げられる。一態様では、好適なプロテアーゼは、アルカリ性微生物プロテアーゼ又は／及びトリプシン型プロテアーゼなどのセリンプロテアーゼであってもよい。
【０１１２】
ビルダー
好適なビルダーとしては、アルミノケイ酸塩（例えば、ゼオライトＡ、ゼオライトＰ及びゼオライトＭＡＰなどのゼオライトビルダー）、ケイ酸塩、リン酸塩、例えば、ポリリン酸塩（例えば、トリ−ポリリン酸ナトリウム）、具体的にはそのナトリウム塩と、炭酸塩、重炭酸塩、セスキ炭酸塩、及び炭酸ナトリウム又はセスキ炭酸塩以外の炭酸塩鉱物と、有機モノ−、ジ−、トリ−、及びテトラカルボキシレート、特に、酸、ナトリウム、カリウム、又はアルカノールアンモニウム塩形態の水溶性非界面活性剤カルボキシレート、並びに脂肪族及び芳香族の種類を含むオリゴマー又は水溶性低分子量ポリマーカルボキシレートと、フィチン酸と、が挙げられる。追加の好適なビルダーは、クエン酸、乳酸、脂肪酸、ポリカルボキシレートビルダー、例えば、アクリル酸のコポリマー、アクリル酸及びマレイン酸のコポリマー、並びにアクリル酸及び／又はマレイン酸のコポリマー、並びに種々の種類の追加の官能基を有するその他の好適なエチレン系モノマーから選択されてもよい。あるいは、組成物はビルダーを実質的に含まなくてもよい。
【０１１３】
高分子系分散剤
好適なポリマーとしては、ポリアクリレート、ポリアクリル酸−マレイン酸コポリマー、及びそのスルホン化修飾物、例えば、疎水変性スルホン化アクリル酸コポリマーなどのポリマーカルボキシレートが挙げられるが、これらに限定されない。ポリマーは、セルロース系ポリマー、ポリエステル、ポリテレフタレート、ポリエチレングリコール、エチレンオキシド−プロピレンオキシド−エチレンオキシド（ＥＯｘ１ＰＯｙＥＯｘ２）トリブロックコポリマーであって、ｘ１及びｘ２のそれぞれは、約２〜約１４０の範囲であり、ｙは、約１５〜約７０の範囲であるトリブロックコポリマー、ポリエチレンイミン、これらの任意の修飾された変異型、例えば、グラフト化ビニル及び／又はアルコール部分を有するポリエチレングリコール、並びにこれらの任意の組み合わせであってもよい。場合によっては、分散剤ポリマーはまた、上記のとおりレオロジー変性剤としても機能し得る。
【０１１４】
好適なポリエチレンイミンポリマーとしては、プロポキシル化ポリアルキレンイミン（例えば、ＰＥＩ）ポリマーが挙げられる。プロポキシル化ポリアルキレンイミン（例えば、ＰＥＩ）ポリマーは、エトキシル化されてもよい。プロポキシル化ポリアルキレンイミン（例えば、ＰＥＩ）ポリマーは、内側ポリエチレンオキシドブロックと外側ポリプロピレンオキシドブロックとを有し得、エトキシル化度及びプロポキシル化度は、特定の限界値を上回りも下回りもしない。ポリエチレンブロックのポリプロピレンブロックに対する比（ｎ／ｐ）は、約０．６から、又は約０．８から、又は約１から、最大約１０、又は最大約５、又は最大約３であってもよい。ｎ／ｐ比は、約２であってもよい。プロポキシル化ポリアルキレンイミンは、約２００ｇ／モル〜約１２００ｇ／モル、又は約４００ｇ／モル〜約８００ｇ／モル、又は約６００ｇ／モルの重量平均分子量（アルコキシル化前に測定したとき）を有するＰＥＩ骨格鎖を有してもよい。プロポキシル化ポリアルキレンイミンの分子量は、約８，０００〜約２０，０００ｇ／モル、又は約１０，０００〜約１５，０００ｇ／モル、又は約１２，０００ｇ／モルであってもよい。
【０１１５】
好適なプロポキシル化ポリアルキレンイミンポリマーは、以下の構造の化合物を含んでもよい。
【０１１６】
【化２】
2021535951.tif 000004
（式中、ＥＯは、エトキシレート基であり、ＰＯは、プロポキシレート基である）。上に示す化合物は、ＥＯ：ＰＯのモル比が１０：５（例えば、２：１）であるＰＥＩである。その他の同様の好適な化合物は、約１０：５又は約２４：１６のモル比で存在するＥＯ及びＰＯ基を含んでもよい。
【０１１７】
汚れ放出ポリマー
好適な汚れ放出ポリマーは、以下の構造（Ｉ）、（ＩＩ）、又は（ＩＩＩ）のうちの１つによって定義される構造を有する。
（Ｉ）−［（ＯＣＨＲ１−ＣＨＲ２）ａ−Ｏ−ＯＣ−Ａｒ−ＣＯ−］ｄ
（ＩＩ）−［（ＯＣＨＲ３−ＣＨＲ４）ｂ−Ｏ−ＯＣ−ｓＡｒ−ＣＯ−］ｅ
（ＩＩＩ）−［（ＯＣＨＲ５−ＣＨＲ６）ｃ−ＯＲ７］ｆ
式中、
ａ、ｂ及びｃは、１〜２００であり、
ｄ、ｅ及びｆは、１〜５０であり、
Ａｒは、１，４−置換フェニレンであり、
ｓＡｒは、５位がＳＯ３Ｍｅで置換されている１，３−置換フェニレンであり、
Ｍｅは、Ｌｉ、Ｋ、Ｍｇ／２、Ｃａ／２、Ａｌ／３、アンモニウム、モノ−、ジ−、トリ−、若しくはテトラ−アルキルアンモニウム（アルキル基は、Ｃ１〜Ｃ１８アルキル又はＣ２〜Ｃ１０ヒドロキシアルキルである）、又はこれらの混合物であり、
Ｒ１、Ｒ２、Ｒ３、Ｒ４、Ｒ５、及びＲ６は、独立して、Ｈ又はＣ１〜Ｃ１８ｎ−若しくはイソ−アルキルから選択され、
Ｒ７は、直鎖状若しくは分枝鎖状Ｃ１〜Ｃ１８アルキル、又は直鎖状若しくは分枝鎖状Ｃ２〜Ｃ３０アルケニル、又は５〜９個の炭素原子を有するシクロアルキル基、又はＣ８〜Ｃ３０アリール基、又はＣ６〜Ｃ３０アリールアルキル基である。
【０１１８】
好適な汚れ放出ポリマーは、Ｒｈｏｄｉａによって供給されているＲｅｐｅｌ−ｏ−ｔｅｘ  ＳＦ、ＳＦ−２及びＳＲＰ６を含むＲｅｐｅｌ−ｏ−ｔｅｘポリマーなどのポリエステル汚れ放出ポリマーである。その他の好適な汚れ放出ポリマーとしては、Ｃｌａｒｉａｎｔによって供給されているＴｅｘｃａｒｅ  ＳＲＡ１００、ＳＲＡ３００、ＳＲＮ１００、ＳＲＮ１７０、ＳＲＮ２４０、ＳＲＮ３００及びＳＲＮ３２５を含むＴｅｘｃａｒｅポリマーが挙げられる。その他の好適な汚れ放出ポリマーは、Ｍａｒｌｏｑｕｅｓｔポリマー（例えば、Ｓａｓｏｌにより供給されているＭａｒｌｏｑｕｅｓｔ  ＳＬなど）である。
【０１１９】
セルロース系ポリマー
好適なセルロース系ポリマーとしては、アルキルセルロース、アルキルアルコキシアルキルセルロース、カルボキシアルキルセルロース、アルキルカルボキシアルキルセルロースから選択されるものが挙げられる。セルロース系ポリマーは、カルボキシメチルセルロース、メチルセルロース、メチルヒドロキシエチルセルロース、メチルカルボキシメチルセルロース、及びこれらの混合物からなる群から選択されてもよい。一態様では、カルボキシメチルセルロースは、０．５〜０．９のカルボキシメチル置換度及び１００，０００Ｄａ〜３００，０００Ｄａの分子量を有する。
【０１２０】
アミン
アミンの非限定的な例としては、ポリエーテルアミン、ポリアミン、オリゴアミン、トリアミン、ジアミン、ペンタミン、テトラアミン、又はこれらの組み合わせを挙げることができるが、これらに限定されない。好適な追加のアミンの具体的な例としては、テトラエチレンペンタミン、トリエチレンテトラアミン、ジエチレントリアミン、又はこれらの混合物が挙げられる。
【０１２１】
漂白剤
漂白触媒以外の好適な漂白剤としては、光漂白剤、漂白活性剤、過酸化水素、過酸化水素源、予形成過酸、及びこれらの混合物が挙げられる。概して、漂白剤を用いる場合、本発明の洗剤組成物は、洗剤組成物の約０．１重量％〜約５０重量％、又は更には約０．１重量％〜約２５重量％の漂白剤を含んでもよい。
【０１２２】
漂白触媒
好適な漂白触媒としては、イミニウムカチオン及びポリイオン、イミニウム双性イオン、変性アミン、変性アミンオキシド、Ｎ−スルホニルイミン、Ｎ−ホスホニルイミン、Ｎ−アシルイミン、チアジアゾールジオキシド、ペルフルオロイミン、環状糖ケトン、並びにこれらの混合物が挙げられるが、これらに限定されない。
【０１２３】
増白剤
本開示に好適な市販の蛍光増白剤は、スチルベン、ピラゾリン、クマリン、ベンゾキサゾール、カルボン酸、メチンシアニン、ジベンゾチオフェン−５，５−ジオキシド、アゾール、５及び６員環の複素環、並びにその他の種々の物質の誘導体を含むがこれらに限定されない、サブグループに分類することができる。
【０１２４】
蛍光増白剤は、４，４’−ビス｛［４−アニリノ−６−モルホリノ−ｓ−トリアジン−２−イル］−アミノ｝−２，２’−スチルベンジスルホン酸二ナトリウム（増白剤１５、ＢＡＳＦによって商標名Ｔｉｎｏｐａｌ  ＡＭＳ−ＧＸとして市販されている）、４，４’−ビス｛［４−アニリノ−６−（Ｎ−２−ビス−ヒドロキシエチル）−ｓ−トリアジン−２−イル］−アミノ｝−２，２’−スチルベンジスルホン酸二ナトリウム（ＢＡＳＦによって商標名Ｔｉｎｏｐａｌ  ＵＮＰＡ−ＧＸとして市販されている）、４，４’−ビス｛［４−アニリノ−６−（Ｎ−２−ヒドロキシエチル−Ｎ−メチルアミノ）−ｓ−トリアジン−２−イル］−アミノ｝−２，２’−スチルベンジスルホン酸二ナトリウム（ＢＡＳＦによって商標名Ｔｉｎｏｐａｌ  ５  ＢＭ−ＧＸとして市販されている）からなる群から選択されてもよい。より好ましくは、蛍光増白剤は、４，４’−ビス｛［４−アニリノ−６−モルホリノ−ｓ−トリアジン−２−イル］−アミノ｝−２，２’−スチルベンジスルホン酸二ナトリウムである。
【０１２５】
増白剤は、粒子の形態で、又は好適な溶媒、例えば非イオン性界面活性剤、プロパンジオールとのプレミックスとして添加されてもよい。
【０１２６】
布地色調剤
布地色調剤（場合により補色剤、青味剤、又はホワイトニング剤とも称される）は、典型的には、青色又は紫色の色合いを布地に与える。色調剤は、単独又は組み合わせのいずれかで使用され、特定の色相の色合いを作り出し、かつ／又は異なる種類の布地に色合いを付けることができる。これは、例えば赤と緑−青の染料とを混合して青又は紫の色合いを生じさせることによりもたらされ得る。色調剤は、アクリジン、アントラキノン（多環式キノンを含む）、アジン、前金属化した（premetallized）アゾを含むアゾ（例えば、モノアゾ、ジアゾ、トリスアゾ、テトラキスアゾ、ポリアゾ）、ベンゾジフラン及びベンゾジフラノン、カロテノイド、クマリン、シアニン、ジアザヘミシアニン、ジフェニルメタン、ホルマザン、ヘミシアニン、インジゴイド、メタン、ナフタルイミド、ナフトキノン、ニトロ及びニトロソ、オキサジン、フタロシアニン、ピラゾール、スチルベン、スチリル、トリアリールメタン、トリフェニルメタン、キサンテン、並びにこれらの混合物を含むが、これらに限定されない任意の周知の染料の化学分類から選択されてもよい。
【０１２７】
好適な布地色調剤としては、染料、染料−粘土結合体、並びに有機及び無機顔料が挙げられる。また、好適な染料としては、小分子染料及びポリマー染料も挙げられる。好適な小分子染料としては、例えば、青色、紫色、赤色、緑色、又は黒色に分類され、単独で又は組み合わせのいずれかで所望の色合いをもたらす、直接染料、塩基性染料、反応染料若しくは加水分解した反応性染料、溶媒染料、又は分散染料のカラーインデックス（Ｃ．Ｉ．）分類に分類される染料からなる群から選択される小分子染料が挙げられる。好適なポリマー染料としては、共有結合している（結合していると称されることもある）色原体（染料−ポリマー結合体）を含有するポリマー、例えば、ポリマーの主鎖に共重合した色原体を有するポリマー及びこれらの混合物からなる群から選択されるポリマー染料が挙げられる。好適なポリマー染料としてはまた、Ｌｉｑｕｉｔｉｎｔ（登録商標）（Ｍｉｌｌｉｋｅｎ、Ｓｐａｒｔａｎｂｕｒｇ，Ｓｏｕｔｈ  Ｃａｒｏｌｉｎａ，ＵＳＡ）の名称で販売されている布地直接着色剤、少なくとも１種の反応染料と、ヒドロキシル部分、一級アミン部分、二級アミン部分、チオール部分、及びこれらの混合部分からなる群から選択される部分を含むポリマーからなる群から選択されるポリマーと、から形成される染料−ポリマー結合体からなる群から選択されるポリマー染料も挙げられる。好適なポリマー染料としては、Ｌｉｑｕｉｔｉｎｔ（登録商標）バイオレットＣＴ、Ｍｅｇａｚｙｍｅ（Ｗｉｃｋｌｏｗ，Ｉｒｅｌａｎｄ）によって商品名ＡＺＯ−ＣＭ−ＣＥＬＬＵＬＯＳＥ、商品コードＳ−ＡＣＭＣとして販売されているＣ．Ｉ．リアクティブブルー１９と共役されているＣＭＣなどのリアクティブブルー、リアクティブバイオレット、又はリアクティブレッドの染料と結合体化しているカルボキシメチルセルロース（ＣＭＣ）、アルコキシル化トリフェニル−メタンポリマー着色剤、アルコキシル化チオフェンポリマー着色剤、及びこれらの混合物からなる群から選択されるポリマー染料も挙げられる。
【０１２８】
前述の布地色調剤は、組み合わせて使用されてもよい（布地調色剤の任意の混合物が使用されてもよい）。
【０１２９】
封入体
封入体は、コアと、内面及び外面を有するシェルとを含んでいてよく、当該シェルが当該コアを封入する。コアは、あらゆる洗濯ケア助剤を含むことができるが、典型的には、コアは、香料、増白剤、色調染料、防虫剤、シリコーン、ワックス、着香剤、ビタミン、布地柔軟化剤、スキンケア剤と、一態様では、パラフィン、酵素、抗菌剤、漂白剤、感覚剤、及びこれらの混合物からなる群から選択される材料を含んでもよく、当該シェルは、ポリエチレン、ポリアミド、所望によりその他のコ−モノマーを含有するポリビニルアルコール、ポリスチレン、ポリイソプレン、ポリカーボネート、ポリエステル、ポリアクリレート、アミノプラスト（一態様では、当該アミノプラストは、ポリ尿素、ポリウレタン、及び／又はポリ尿素ウレタンを含んでもよく、一態様では、当該ポリ尿素は、ポリオキシメチレン尿素及び／又はメラミンホルムアルデヒドを含んでもよい）、ポリオレフィン、多糖類、（一態様では、当該多糖類は、アルギン酸塩及び／又はキトサンを含んでもよい）、ゼラチン、セラック、エポキシ樹脂、ビニルポリマー、水不溶性無機材料、シリコーン、並びにこれらの混合物からなる群から選択される洗濯ケア助剤を含むことができる。
【０１３０】
好ましい封入剤は、香料を含む。好ましい封入物は、メラミンホルムアルデヒド及び／又は架橋メラミンホルムアルデヒドを含んでもよいシェルを含む。その他の好ましいカプセルは、ポリアクリレート系シェルを含む。好ましい封入剤は、コア材とシェルとを含み、当該シェルは、当該コア材を少なくとも部分的に取り囲むことが開示されている。当該封入剤の少なくとも７５％、８５％、又は更には９０％が、０．２ＭＰａ〜１０ＭＰａの破壊強度、及び封入された有益剤の初期総量に対して０％〜２０％、又は更には１０％若しくは５％未満の有益剤漏出率を有してもよい。当該封入体の少なくとも７５％、８５％、若しくは更には９０％が、（ｉ）１マイクロメートル〜８０マイクロメートル、５マイクロメートル〜６０マイクロメートル、１０マイクロメートル〜５０マイクロメートル、若しくは更には１５マイクロメートル〜４０マイクロメートルの粒径を有し得る、及び／又は（ｉｉ）当該封入体の少なくとも７５％、８５％、若しくは更には９０％が、３０ｎｍ〜２５０ｎｍ、８０ｎｍ〜１８０ｎｍ、又は更には１００ｎｍ〜１６０ｎｍの粒子壁厚を有し得るものが好ましい。ホルムアルデヒドスカベンジャーは、封入剤と共に、例えばカプセルスラリー中で用いてもよく、及び／又は封入剤を組成物に添加する前、添加している間、若しくは添加した後に組成物に添加してもよい。
【０１３１】
好適なカプセルは、周知のプロセスを使用して作製することができる。あるいは、好適なカプセルは、Ｅｎｃａｐｓｙｓ  ＬＬＣ（Ａｐｐｌｅｔｏｎ，Ｗｉｓｃｏｎｓｉｎ  ＵＳＡ）から購入することができる。好ましい態様では、組成物は、好ましくは封入剤に加えて、付着助剤を含んでもよい。好ましい付着助剤は、カチオン性及び非イオン性ポリマーからなる群から選択される。好適なポリマーとしては、カチオンデンプン、カチオン性ヒドロキシエチルセルロース、ポリビニルホルムアルデヒド、ローカストビーンガム、マンナン、キシログルカン、タマリンドガム、ポリエチレンテレフタレート、並びに任意にアクリル酸及びアクリルアミドを含む群から選択される１つ以上のモノマーと共にジメチルアミノエチルメタクリレートを含有するポリマーが挙げられる。
【０１３２】
香料
香料及び香料成分の非限定的な例としては、アルデヒド、ケトン、エステルなどが挙げられるが、これらに限定されない。その他の例としては、種々の天然抽出物及び天然エキスが挙げられ、これらは、オレンジ油、レモン油、バラ抽出物、ラベンダー、ムスク、パチョリ、バルサムエキス、ビャクダン油、パイン油、シーダーなどの成分の複雑な混合物を含むことができる。最終的な香料は、そのような成分の非常に複雑な混合物を含むことができる。仕上げた香料は、洗剤組成物の約０．０１重量％〜約２重量％の範囲の濃度で含まれてもよい。
【０１３３】
移染防止剤
移染防止剤は、洗浄プロセス中のある布地から別の布地への染料の移動を阻害するのに有効である。概して、このような移染防止剤としては、ポリビニルピロリドンポリマー、ポリアミンＮ−オキシドポリマー、Ｎ−ビニルピロリドン及びＮ−ビニルイミダゾールのコポリマー、マンガンフタロシアニン、ペルオキシダーゼ、及びこれらの混合物を挙げることができる。使用する場合、これらの剤は、組成物の約０．０００１重量％〜約１０重量％、いくつかの例では、組成物の約０．０１重量％〜約５重量％、その他の例では、組成物の約０．０５重量％〜約２重量％の濃度で使用されてもよい。
【０１３４】
キレート剤
好適なキレート剤としては、銅、鉄、及び／又はマンガンキレート剤、並びにこれらの混合物が挙げられる。このようなキレート剤は、ホスホネート、アミノカルボキシレート、アミノホスホネート、スクシネート、多官能的に置換された芳香族キレート剤、２−ピリジノール−Ｎーオキシド化合物、ヒドロキサム酸、カルボキシメチルイヌリン、及びこれらの混合物からなる群から選択することができる。キレート剤は、酸の形態、又は、アルカリ金属、アンモニウム、及びその置換アンモニウム塩、並びにこれらの混合物を含む、塩の形態で存在することができる。本明細書での使用に好適なその他のキレート剤は、市販のＤＥＱＵＥＳＴシリーズ、並びにＭｏｎｓａｎｔｏ、Ａｋｚｏ−Ｎｏｂｅｌ、ＤｕＰｏｎｔ、Ｄｏｗからのキレート剤、ＢＡＳＦ及びＮａｌｃｏからのＴｒｉｌｏｎ（登録商標）シリーズ、ＢＡＳＦ、ＤＯＷ、及びＮｉｐｐｏｎ  Ｓｈｏｋｕｂａｉから入手可能なマレイン酸及びアクリル酸のコポリマーである。
【０１３５】
泡抑制剤
泡の形成を低減又は抑制するための化合物を、水溶性単位用量物品に組み込んでもよい。泡の抑制は、いわゆる「高濃度洗浄プロセス」において、また前側投入方式の洗濯機において、特に重要である場合がある。抑泡剤の例としては、モノカルボン脂肪酸及びその中の可溶性塩、パラフィンなどの高分子量炭化水素、脂肪酸エステル（例えば、脂肪酸トリグリセリド）、一価アルコールの脂肪酸エステル、脂肪族Ｃ１８〜Ｃ４０ケトン（例えば、ステアロン）、Ｎ−アルキル化アミノトリアジン、好ましくは融点が約１００℃未満であるワックス状炭化水素、シリコーン抑泡剤、並びに二級アルコールが挙げられる。
【０１３６】
更なる好適な消泡剤は、フェニルプロピルメチル置換ポリシロキサンに由来するものである。
【０１３７】
洗剤組成物は、シリコーン樹脂及び変性シリカである一次充填剤と組み合わせたアリール又はアルキルアリール置換基を伴う有機変性シリコーンポリマーから選択される抑泡剤を含んでもよい。洗剤組成物は、組成物の約０．００１重量％〜約４．０重量％のこのような抑泡剤を含んでもよい。
【０１３８】
洗剤組成物は、ａ）約８０〜約９２％のエチルメチル、メチル（２−フェニルプロピル）シロキサンと、ステアリン酸オクチル中約５〜約１４％のＭＱ樹脂と、約３〜約７％の変性シリカとの混合物、ｂ）約７８〜約９２％のエチルメチル、メチル（２−フェニルプロピル）シロキサンと、ステアリン酸オクチル中約３〜約１０％のＭＱ樹脂と、約４〜約１２％の変性シリカとの混合物、又はｃ）これらの混合物、から選択される抑制剤を含んでよく、百分率は、消泡剤の重量に対するものである。
【０１３９】
増泡剤
高起泡性が望ましい場合、Ｃ１０〜Ｃ１６アルカノールアミドなどの増泡剤を使用してもよい。いくつかの例としては、Ｃ１０〜Ｃ１４モノエタノール及びジエタノールアミドが挙げられる。必要に応じて、ＭｇＣｌ２、ＭｇＳＯ４、ＣａＣｌ２、ＣａＳＯ４などの水溶性マグネシウム及び／又はカルシウム塩を、洗剤組成物の約０．１重量％〜約２重量％の濃度で添加して、追加の泡をもたらし、脂除去性能を増強してもよい。
【０１４０】
コンディショニング剤
好適なコンディショニング剤としては、高融点脂肪族化合物が挙げられる。本明細書において有用な高融点脂肪族化合物は、２５℃以上の融点を有し、脂肪族アルコール、脂肪酸、脂肪族アルコール誘導体、脂肪酸誘導体、及びこれらの混合物からなる群から選択される。好適なコンディショニング剤としてはまた、非イオン性ポリマー及びコンディショニングオイル、例えば、炭化水素油、ポリオレフィン、及び脂肪酸エステルが挙げられる。
【０１４１】
好適なコンディショニング剤としては、一般にシリコーン（例えば、シリコーンオイル、ポリオイル、カチオン性シリコーン、シリコーンガム、高屈折率のシリコーン、及びシリコーン樹脂）、有機コンディショニングオイル（例えば、炭化水素油、ポリオレフィン、及び脂肪酸エステル）、若しくはこれらの組み合わせを特徴とするコンディショニング剤、又はその他の方法で本明細書の水性界面活性剤マトリックス中に液体の分散粒子を形成するコンディショニング剤が挙げられる。
【０１４２】
布地強化ポリマー
好適な布地強化ポリマーは、典型的には、カチオン性に帯電され、かつ／又は高分子量を有する。布地強化ポリマーは、ホモポリマーであってもよく、又は２つ以上の種類のモノマーから形成されてもよい。ポリマーのモノマー重量は、一般に、５，０００〜１０，０００，０００、典型的には少なくとも１０，０００、好ましくは１００，０００〜２，０００，０００の範囲である。好ましい布地強化ポリマーは、組成物の意図される用途のｐＨ（このｐＨは、概して、ｐＨ３〜ｐＨ９、好ましくはｐＨ４〜ｐＨ８の範囲）において、少なくとも約０．２ｍｅｑ／ｇｍ、好ましくは少なくとも０．２５ｍｅｑ／ｇｍ、より好ましくは少なくとも０．３ｍｅｑ／ｇｍであり、ただしまた、好ましくは５ｍｅｑ／ｇｍ未満、より好ましくは３ｍｅｑ／ｇｍ未満、最も好ましくは２ｍｅｑ／ｇｍ未満でもある、カチオン電荷密度を有する。布地強化ポリマーは、天然に由来するものであっても又は合成に由来するものであってもよい。
【０１４３】
真珠光沢剤
真珠光沢剤の非限定的な例としては、雲母、二酸化チタンコーティングした雲母、オキシ塩化ビスマス、魚のうろこ、アルキレングリコールのモノエステル及びジエステルが挙げられる。真珠光沢剤は、エチレングリコールジステアレート（ＥＧＤＳ）であってもよい。
【０１４４】
衛生及び悪臭
好適な衛生及び悪臭活性剤としては、リシノール酸亜鉛、チモール、Ｂａｒｄａｃ（登録商標）などの四級アンモニウム塩、ポリエチレンイミン（ＢＡＳＦ製のＬｕｐａｓｏｌ（登録商標）など）及びその亜鉛錯体、銀及び銀化合物、特に、Ａｇ＋又はナノ銀分散体をゆっくり放出するように設計されたものが挙げられる。
【０１４５】
緩衝系
本明細書に記載の水溶性単位用量物品は、水性クリーニング操作において使用している間、洗浄水が約７．０〜約１２、いくつかの例では約７．０〜約１１のｐＨを有するように配合されてもよい。推奨される使用濃度でｐＨを制御する技法としては、緩衝剤、アルカリ、又は酸の使用が挙げられ、これらは当業者には周知である。これらの技術としては、炭酸ナトリウム、クエン酸又はクエン酸ナトリウム、乳酸又は乳酸塩、モノエタノールアミン又はその他のアミン、ホウ酸又はホウ酸塩、及び当該技術分野において周知のその他のｐＨ調整化合物の使用が挙げられるが、これらに限定されない。
【０１４６】
本明細書の洗剤組成物は、動的な洗浄中ｐＨプロファイルを含んでもよい。このような洗剤組成物では、（ｉ）水と接触した約３分後に洗浄液のｐＨが１０を超え、（ｉｉ）水と接触して約１０分後に洗浄液のｐＨが９．５未満になり、（ｉｉｉ）水と接触した約２０分後に洗浄液のｐＨが９．０未満になり、更に（ｉｖ）所望により、洗浄液の平衡ｐＨが約７．０〜約８．５の範囲になるように、ワックスで覆われたクエン酸粒子をその他のｐＨ制御剤と共に使用してもよい。
【０１４７】
作製方法
図３に例示するように、フィラメント形成組成物３５の溶液が提供される。フィラメント形成組成物は、１つ以上のフィラメント形成材料と、所望により１つ以上の活性剤とを含んでもよい。フィラメント形成組成物３５は、複数の紡糸口金４５を備える１つ以上のダイブロックアセンブリ４０を通過して、１つ以上のフィラメント形成材料と所望により１つ以上の活性剤とを含む複数の繊維要素３０を形成する。複数のダイブロック組立体４０を用いて、繊維要素３０の異なる層を紡糸することができ、異なる層の繊維要素３０は互いに異なる組成を有するか、又は互いに同じである。所与のプライにおいて３つ、４つ、又は任意のその他の整数の層を形成するために、直列に配置された３つ以上のダイブロックアセンブリを提供することができる。機械方向ＭＤに移動しているベルト５０上に繊維要素３０を堆積させて、第１のプライ１０を形成することができる。
【０１４８】
ダイブロックアセンブリ４０とベルト５０との間の繊維要素３０の流れに粒子を導入することができる。粒子受け部からベルトフィーダ４１又は所望によりスクリューフィーダに、粒子を供給することができる。所望の粒子塊をプロセスに送達するように、ベルトフィーダ４１を設定及び制御することができる。ベルトフィーダは、空気流中の粒子を繊維要素３０内に懸濁させ、方向付けるエアナイフ４２を供給して、その後ベルト５０上に堆積する繊維要素３０及び粒子が混合された粒子−繊維層を形成することができる。
【０１４９】
水溶性製品を形成するために、第１のプライ１０を提供することができる。第２のプライ１５は、第１のプライ１０とは別個に提供され得る。第１のプライ１０及び第２のプライ１５は、互いに重ね合わせられる。重ね合わせられるとは、重ね合わせられたプライの間に追加のプライ又はその他の材料、例えば活性剤が配置されていてもよいという条件で、一方が他方の上又は下に配置されることを意味する。第１プライ１０の一部を第２のプライ１５の一部に接合させて、水溶性製品５を形成することができる。各プライは１つ以上の層を含んでもよい。
【０１５０】
粒子−繊維層
粒子−繊維層は、いくつかの方法で配置されてもよい。粒子のクラスタは、層内に分布したポケット内に分布してもよく、このようなポケットは、繊維要素の層の間に形成されてもよく、粒子の各クラスタ内の接触ネットワーク及び多孔性は、従来の粒子パッキングの物理学によって支配されているが、クラスタは層内で実質的に拡張される。粒子は、繊維構造体全体にわたって比較的均質に分布してもよく、局所的な粒子クラスタを実質的に含まず、パッキングは、個々の粒子のスケールで実質的に拡張され、粒子間接触がより少なく、粒子間孔が大きくなる。理論に束縛されるものではないが、繊維要素及び粒子を含む層を含む水溶性単位用量物品は、ＡＥＳなどの粘着性界面活性剤が、拡張構造を有する粒子に隔離された場合、水の拡張構造への迅速な吸水及び粘着性界面活性剤を有する粒子間の接触の減少の両方によって単位用量物品の分散及び溶解を改善すると考えられる。
【０１５１】
パウチ。単回単位用量は、パウチの形態であってもよい。組成物は、単位用量の形態、錠剤の形態、又は好ましくは水溶性フィルム（パウチ又はポッドとして知られているもの）内に保持されている液体／固体（任意に顆粒）／ゲル／ペーストの形態のいずれかで提供されてもよい。組成物は、単一区画パウチに封入しても、又は多区画パウチに封入してもよい。多区画パウチは、欧州特許出願公開第２１３３４１０（Ａ）号により詳細に記載されている。シェーディング若しくは非シェーディング染料又は顔料又はその他の審美剤もまた、１つ以上の区画で用いられてもよい。
【０１５２】
パウチを形成するための好適なフィルムは、水に可溶性であるか、又は分散性であり、２０マイクロメートルの最大孔径を有するガラスフィルタを用いた後に本明細書で示される方法によって測定する場合に、好ましくは少なくとも５０％、好ましくは少なくとも７５％、又は更に少なくとも９５％の水溶性／分散性を有する：
予め秤量した４００ｍＬのビーカーに、５０グラム±０．１グラムのパウチ材料を添加し、２４５ｍＬ±１ｍＬの蒸留水を添加する。これを、６００ｒｐｍに設定した電磁撹拌器で３０分間勢いよく撹拌する。次いで、混合物を、上記で定義した孔径（最大２０マイクロメートル）の折り畳まれた定性焼結ガラスフィルタにより濾過する。任意の従来の方法によって、回収した濾液から水を乾燥させ、残った材料の重量を求める（これが溶解画分又は分散画分である）。次いで、溶解度又は分散率を計算することができる。好ましいフィルム材料は、ポリマー材料である。フィルム材料は、例えば、当該技術分野において公知であるとおり、ポリマー材料を注型成形、吹込成形、押出成形又は吹込押出成形することによって得ることができる。パウチ材料として使用するのに好適な好ましいポリマー、コポリマー又はこれらの誘導体は、ポリビニルアルコール、ポリビニルピロリドン、ポリアルキレンオキシド、アクリルアミド、アクリル酸、セルロース、セルロースエーテル、セルロースエステル、セルロースアミド、ポリビニルアセテート、ポリカルボン酸及び塩、ポリアミノ酸又はペプチド、ポリアミド、ポリアクリルアミド、マレイン酸／アクリル酸のコポリマー、デンプン及びゼラチンを含む多糖類、キサンタン及びカラゴムなどの天然ゴムから選択される。より好ましいポリマーは、ポリアクリレート及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレートから選択され、最も好ましくは、ポリビニルアルコール、ポリビニルアルコールコポリマー及びヒドロキシプロピルメチルセルロース（ＨＰＭＣ）、並びにこれらの組み合わせから選択される。好ましくは、パウチ材料中のポリマー、例えば、ＰＶＡポリマーの濃度は、少なくとも６０％である。ポリマーは、任意の重量平均分子量を有してもよく、好ましくは、約１０００〜１，０００，０００、より好ましくは、約１０，０００〜３００，０００、更により好ましくは、約２０，０００〜１５０，０００である。また、ポリマーの混合物をパウチ材料として使用してもよい。これは、その用途及び必要とされるニーズに応じて、区画又はパウチの機械的特性及び／又は溶解特性を制御するのに有益であり得る。好適な混合物には、例えば、１つのポリマーの水溶解度が別のポリマーよりも高く、及び／又は１つのポリマーの機械的強度が別のポリマーよりも高い、混合物が挙げられる。また、異なる重量平均分子量を有するポリマーの混合物、例えば、約１０，０００〜４０，０００、好ましくは２０，０００前後の重量平均分子量のＰＶＡ又はそのコポリマーと、約１００，０００〜３００，０００、好ましくは１５０，０００前後の重量平均分子量のＰＶＡ又はそのコポリマーとの混合物も好適である。また、ポリマーブレンド組成物、例えば、加水分解により分解可能な水溶性のポリマーブレンド（ポリラクチド及びポリビニルアルコールを混合することにより得られ、典型的には約１〜３５重量％のポリラクチドと、約６５〜９９重量％のポリビニルアルコー��とを含む、ポリラクチドとポリビニルアルコールとのポリマーブレンドなど）を含むポリマーブレンド組成物も、本明細書において好適である。本明細書において使用するのに好ましいものは、約６０％〜約９８％加水分解され、好ましくは約８０％〜約９０％加水分解され、材料の溶解特性が向上したポリマーである。
【０１５３】
当然のことながら、異なるフィルム材料及び／又は異なる厚さのフィルムを、本発明の区画の作製に用いてもよい。異なるフィルムを選択する利点は、得られる区画が、異なる溶解性又は放出特性を示し得ることである。
【０１５４】
最も好ましいフィルム材料は、ＭｏｎｏＳｏｌ照会番号Ｍ８６３０、Ｍ８９００、Ｈ８７７９（出願人らの同時係属出願照会番号４４５２８及び１１５９９に記載）として公知のＰＶＡフィルム、米国特許第６，１６６，１１７号及び同第６，７８７，５１２号に記載のＰＶＡフィルム、並びに相当する溶解度及び変形特性を有するＰＶＡフィルムである。
【０１５５】
また、本明細書のフィルム材料は、１つ以上の添加剤含有成分を含んでもよい。例えば、可塑剤（例えば、グリセロール、エチレングリコール、ジエチレングリコール、プロピレングリコール、ソルビトール及びこれらの混合物）を添加することが有益な場合がある。その他の添加剤としては、洗浄水に送達される機能性洗剤添加剤、例えば、有機ポリマー分散剤などが挙げられる。
【０１５６】
苦味剤は、パウチ内部の組成物に組み込むことによって、及び／又はフィルム上にコーティングすることによって、のいずれかで、パウチ又はポッドに組み込まれてもよい。
【０１５７】
洗濯方法
本発明はまた、本発明による物品を使用する洗濯方法であって、本発明による少なくとも１つの物品を、洗浄される洗濯物と一緒に洗濯機に入れる工程と、洗浄又はクリーニング操作を行う工程とを含む、洗濯方法を包含する。具体的には、本方法は、その上に堆積した皮脂を有する布地を得る工程と、洗浄工程で布地を処理する工程と、を含み、洗浄工程は、布地を洗浄液と接触させる工程と、を含む。洗濯液は、水溶性単位容量を水中で３００〜８００倍、好ましくは４００〜７００倍希釈することによって調製され、洗浄液は、８以上のｐＨからなる。
【０１５８】
任意の好適な洗濯機が使用されてもよい。例としては、自動洗濯機、手洗い濯操作、又はこれらの混合、好ましくは自動洗濯機が挙げられる。
【０１５９】
当業者は、関連の洗浄操作に好適な機械を認識するであろう。本発明の物品は、布地添加剤、布地柔軟剤、すすぎ助剤などのその他の組成物と共に使用されてもよい。
【０１６０】
洗浄温度は、例えば３０°Ｃ以下などの、５°Ｃ〜９０°Ｃであってもよい。洗浄プロセスは、５〜５０分の持続時間を有する少なくとも１回の洗浄サイクルを含んでもよい。自動洗濯機は回転ドラムを含んでもよく、少なくとも１回の洗濯サイクル中、ドラムは、１５〜４０ｒｐｍ、好ましくは２０〜３５ｒｐｍの回転速度を有する。
【０１６１】
布地は、綿、ポリエステル、綿／ポリエステル混紡、又はこれらの混合物であってもよく、好ましくは綿である。
【０１６２】
水溶性繊維構造体と、構造全体にわたって分配された１つ以上のレオロジー変性粒子とを含む水溶性単位用量物品は、例えば、バター、牛肉、草類、茶、スパゲティ、皮脂、ワイン、及び布地に付与され得るいずれかのその他の種類の染みなどの１つ以上の種類の染みを除去し得る。
【０１６３】
試験方法
坪量試験法
±０．００１ｇの感度限界の上皿化学天秤を使用して、１２個の使用可能な単位を積み重ねて繊維構造体の坪量を測定する。風防を使用して、天秤を気流及びその他の外乱から保護する。３．５００インチ±０．００３５インチ×３．５００インチ±０．００３５インチと測定された精密切断ダイを使用して、全ての試料を調製する。
【０１６４】
精密切断用金型を用いて、試料を正方形に切断する。切断した正方形をまとめて、試料１２個の厚さに積み重ねる。積み重ねた試料の質量を測定し、結果を０．００１ｇ単位で記録する。
【０１６５】
以下のように、ｌｂｓ／３０００ｆｔ２又はｇ／ｍ２で坪量を計算する。
坪量＝（積み重ねた試料の質量）／［（積み重ねた試料内の正方形１個の面積）×（積み重ねた試料内の正方形の数）］
例えば、
坪量（ｌｂｓ／３０００ｆｔ２）＝［［積み重ねた試料の質量（ｇ）／４５３．６（ｇ／ｌｂｓ）］／［１２．２５（ｉｎ２）／１４４（ｉｎ２／ｆｔ２）×１２］］×３０００
又は、
坪量（ｇ／ｍ２）＝積み重ねた試料の質量（ｇ）／［７９．０３２（ｃｍ２）／１０，０００（ｃｍ２／ｍ２）×１２］
【０１６６】
結果を０．１ｌｂｓ／３０００ｆｔ２又は０．１ｇ／ｍ２単位で報告する。積み重ねた試料の面積が少なくとも１００平方インチになるように、上述のものと同様の精密カッターを使用して試料寸法を変更又は様々に変えてもよい。
【０１６７】
厚さ試験法
各切断された試料がＶＩＲ  Ｅｌｅｃｔｒｏｎｉｃ  Ｔｈｉｃｋｎｅｓｓ  Ｔｅｓｔｅｒ  Ｍｏｄｅｌ  ＩＩ（Ｔｈｗｉｎｇ−  Ａｌｂｅｒｔ  Ｉｎｓｔｒｕｍｅｎｔ  Ｃｏｍｐａｎｙ（Ｐｈｉｌａｄｅｌｐｈｉａ，ＰＡ）から入手可能）のロードフット搭載面よりも大きなサイズになるように、繊維構造体試料から５つの試料を切り取ることによって、繊維構造体の厚さを測定する。典型的に、ロードフット搭載面は、約３．１４平方インチの円形表面積を有する。試料を水平な平面とロードフット搭載面との間に固定する。ロードフット搭載面は、１５．５ｇ／ｃｍ２の拘束圧を試料に印加する。各試料の厚みは、平面とロードフット搭載面との間に生じるギャップである。厚みは、５つの試料の平均の厚みとして計算される。結果をミリメートル（ｍｍ）で報告する。
【０１６８】
顆粒粒径分布試験法
顆粒粒径分布試験を実施して、粒子の特徴的なサイズを求める。これは、分析に使用される篩サイズ及び篩時間のための更なる規格と共に、１９８９年５月２６日に承認されたＡＳＴＭ  Ｄ  ５０２−８９「Ｓｔａｎｄａｒｄ  Ｔｅｓｔ  Ｍｅｔｈｏｄ  ｆｏｒ  Ｐａｒｔｉｃｌｅ  Ｓｉｚｅ  ｏｆ  Ｓｏａｐｓ  ａｎｄ  Ｏｔｈｅｒ  Ｄｅｔｅｒｇｅｎｔｓ」を使用して実施される。第７章「Ｐｒｏｃｅｄｕｒｅ  ｕｓｉｎｇ  ｍａｃｈｉｎｅ−ｓｉｅｖｉｎｇ  ｍｅｔｈｏｄ」に従って、本明細書で言及される粒径の範囲を網羅するために、米国標準（ＡＳＴＭ  Ｅ  １１）篩＃４（４．７５ｍｍ）、＃６（３．３５ｍｍ）、＃８（２．３６ｍｍ）、＃１２（１．７ｍｍ）、＃１６（１．１８ｍｍ）、＃２０（８５０ｕｍ）、＃３０（６００ｕｍ）、＃４０（４２５ｕｍ）、＃５０（３００ｕｍ）、＃７０（２１２ｕｍ）、＃１００（１５０ｕｍ）を含む清潔な乾燥した篩の入れ子を必要とする。規定された機械篩い法が、上記の入れ子状の篩と共に使用される。好適な篩振盪機は、Ｗ．Ｓ．Ｔｙｌｅｒ  Ｃｏｍｐａｎｙ（Ｏｈｉｏ，Ｕ．Ｓ．Ａ．）から入手することができる。篩振盪試験試料は約１００グラムであり、５分間振盪される。
【０１６９】
各篩のマイクロメートルサイズの開口部を対数横軸に対してプロットし、累積質量パーセント（Ｑ３）を線形縦軸に対してプロットする片対数プロット上に、データをプロットする。上記データ表現の例は、ＩＳＯ  ９２７６−１：１９９８、「Ｒｅｐｒｅｓｅｎｔａｔｉｏｎ  ｏｆ  ｒｅｓｕｌｔｓ  ｏｆ  ｐａｒｔｉｃｌｅ  ｓｉｚｅ  ａｎａｌｙｓｉｓ−Ｐａｒｔ  １：Ｇｒａｐｈｉｃａｌ  Ｒｅｐｒｅｓｅｎｔａｔｉｏｎ」の図Ａ．４に記載されている。特徴的な粒径（Ｄｘ）は、この発明の目的において、累積質量パーセントがｘパーセントと等しい点における横軸値として定義され、以下の式を使用してｘ％値の直上（ａ）及び直下（ｂ）のデータ点間の直線補間によって計算される。
Ｄｘ＝１０＾［Ｌｏｇ（Ｄａ）−（Ｌｏｇ（Ｄａ）−Ｌｏｇ（Ｄｂ））×（Ｑａ−ｘ％）／（Ｑａ−Ｑｂ）］
（式中、Ｌｏｇは、１０を底とする対数であり、Ｑａ及びＱｂは、それぞれｘ番目の百分位数の直上及び直下の測定データの累積質量百分位数であり、Ｄａ及びＤｂは、これらのデータに対応する篩サイズの値（μｍ）である。）。
【０１７０】
【表１】
2021535951.tif 000005
【０１７１】
Ｄ１０（ｘ＝１０％）の場合、ＣＭＰＦが１０％（Ｄａ）の直上にあるミクロン篩サイズ（Ｄａ）は３００μｍであり、直下にあるスクリーン（Ｄｂ）は２１２μｍである。１０％の直上の累積質量（Ｑａ）は１５．２％であり、直下（Ｑｂ）は６．８％である。
Ｄ１０＝１０＾［Ｌｏｇ（３００）−（Ｌｏｇ（３００）−Ｌｏｇ（２１２））×（１５．２％−１０％）／（１５．２％−６．８％）］＝２４２ｕｍ
【０１７２】
Ｄ５０（ｘ＝５０％）の場合、ＣＭＰＦが５０％（Ｄａ）の直上にあるミクロン篩サイズ（Ｄａ）は１１８０μｍであり、直下にあるスクリーン（Ｄｂ）は８５０μｍである。９０％の直上の累積質量（Ｑａ）は９９．３％であり、直下（Ｑｂ）は８９．０％である。
Ｄ５０＝１０＾［Ｌｏｇ（６００）−（Ｌｏｇ（６００）−Ｌｏｇ（４２５））×（６０．３％−５０％）／（６０．３％−３２．４％）］＝５２８ｕｍ
【０１７３】
Ｄ９０（ｘ＝９０％）の場合、ＣＭＰＦが９０％（Ｄａ）の直上にあるミクロン篩サイズ（Ｄａ）は６００μｍであり、直下にあるスクリーン（Ｄｂ）は４２５μｍである。５０％の直上の累積質量（Ｑａ）は６０．３％であり、直下（Ｑｂ）は３２．４％である。
Ｄ９０＝１０＾［Ｌｏｇ（１１８０）−（Ｌｏｇ（１１８０）−Ｌｏｇ（８５０））×（９９．３％−９０％）／（９９．３％−８９．０％）］＝８７８ｕｍ
【０１７４】
直径試験法
走査型電子顕微鏡（Scanning Electron Microscope、ＳＥＭ）又は光学顕微鏡、及び画像解析ソフトウェアを使用して、離散繊維要素又は繊維構造体内の繊維要素の直径を求める。繊維要素を測定のために適切に拡大するように、２００〜１０，０００倍の倍率を選択する。ＳＥＭを使用する場合には、電子ビーム中での繊維要素の帯電及び振動を避けるために、試料に金又はパラジウム化合物をスパッタリングする。ＳＥＭ又は光学顕微鏡を用いて得られた画像（モニタースクリーン上）から繊維要素の直径を測定するにはマニュアルの手順を用いる。マウス及びカーソルツールを使用して、ランダムに選択された繊維要素の縁部を探し、その後、その幅（すなわち、その点における繊維要素の方向に対して垂直な）にわたって繊維要素の他方の縁部まで測定する。目盛り付きの較正された画像解析ツールにより、μｍ単位で実際の読取値を取得するための目盛りが提供される。繊維構造体内の繊維要素については、ＳＥＭ又は光学顕微鏡を用いて、繊維構造体のサンプル全体からいくつかの繊維要素をランダムに選択する。繊維構造体の少なくとも２つの部分を切り取り、この方法で試験する。統計解析のために、このような測定を全部で少なくとも１００回実施し、次いで、全てのデータを記録する。記録したデータを用いて、繊維要素の直径の平均値（平均）、繊維要素の直径の標準偏差、及び繊維要素の直径の中央値を計算する。
【０１７５】
別の有用な統計は、特定の上限よりも小さい繊維要素集団の量の算出である。この統計値を決定するために、繊維要素の直径の結果のうち上限よりも小さいものの個数をカウントするようにソフトウェアをプログラムし、そのカウント（データの合計数で除し、１００％を掛ける）を、上限よりも小さいパーセント（例えば直径が１マイクロメートル未満のパーセント又はサブミクロン％）として、パーセントで記録する。本発明者らは、個々の円形繊維要素に関し測定された直径（μｍ）をｄｉとして表す。
【０１７６】
繊維要素が非円形断面を有する場合、繊維要素の直径の測定値は、水力直径として求められ、水力直径と等しいものと設定される。水力直径とは繊維要素の断面積を４倍して、繊維要素の断面の周囲長さ（中空の繊維要素の場合は外周囲長さ）で除したものである。数−平均直径、あるいは平均直径は、以下のとおりに計算する：
【０１７７】
【数１】
2021535951.tif 000006
【０１７８】
ＱＢ０２６２５のためのマイクロＣＴ法
７μｍの等方性空間分解能でデータセットを取得することができるマイクロＣＴ  Ｘ線走査機器を使用して、試験する試料を撮像する。好適な機器の一例は、以下の設定：エネルギーレベルが１３３μＡにおいて４５ｋＶｐ、投影：３０００、視野：３５ｍｍ、積分時間：７５０ｍｓ、平均４回、及びボクセルサイズが７μｍで作動するＳＣＡＮＣＯ  システムモデル５０マイクロＣＴスキャナ（Ｓｃａｎｃｏ  Ｍｅｄｉｃａｌ  ＡＧ，Ｂｒｕｔｔｉｓｅｌｌｅｎ，Ｓｗｉｔｚｅｒｌａｎｄ）である。
【０１７９】
一方の封止された縁部から他方の端部までの線を切断して、２つの完全な封止された縁部が交わる先端部の下に約２０ｍｍの三角形を形成することによって、分析する試験試料を調製し、長さにして約２８ｍｍの切断面を得る。調製された試料を、低減衰試料調製用取付発泡体の環の間に交互に重ねて平らに置き、走査のために直径３５ｍｍのプラスチック円筒管内に取り付ける。取り付けられた切断試料全ての体積全体がデータセットに含まれるように、試料の走査を取得する。
【０１８０】
試料内の繊維、粒子、及び空隙空間の体積百分率を確実にかつ繰り返し測定するために、粒子、繊維、及び空隙空間を定性的に評価することができる３Ｄスラブのデータを作成する製品の断面から試料の小さなサブボリュームを抽出する。この体積のデータを包含するマスクを作成する。マスクは、空隙体積測定値をバイアスする製品の外部に空隙要素を含んでいてはならない。更に、分析のために選択される製品の領域は、製品上の物理的ランドマークからの一定距離に基づく。
【０１８１】
体積の内部を３つの領域：１）粒子、２）繊維、及び３）空隙空間に分けるために、これら３つの領域を最適に分離する自動閾値化アルゴリズムを利用する。粒子は繊維よりも高密度であるので、セグメント化粒子のわずかな拡張の追加工程も実行すべきである。これにより、粒子の表面における予想される部分体積平均を考慮することができる。次いで、拡張されたセグメント化粒子は、計算された総体積を有することができる。次いで、下限閾値を使用して空気から繊維を分離する。繊維体積は、下限閾値を上回るボクセルの共通集合（intersection）であり、粒子領域の一部ではない。最後に、次いで、繊維及び粒子体積の和集合（union）から全体的なマスク体積を減じることによって空隙容積が得られる。
【０１８２】
この１つの実行は、２つのソフトウェアプラットフォーム：Ａｖｉｚｏ  ９．２．０及びＭａｔｌａｂ  Ｒ２０１６ｂ（いずれもＷｉｎｄｏｗｓ  ６４ｂｉｔワークステーション上で実行される）の使用を介して行われる。この場合、Ｓｃａｎｃｏ  ｍＣＴ５０３Ｄ  Ｘ線マイクロＣＴスキャナからデータを収集し、７マイクロメートルボクセルの解像度でデータを収集した。走査及び画像再構成が完了した後、スキャナは、ＩＳＱファイルと称される１６ビットのデータセットを作成し、ここで、グレーレベルはＸ線減衰の変化を反映し、ひいては、材料密度に関連する。この場合、ＩＳＱはかなり大きく、５０３８×５０３８×１３２６の寸法である。
【０１８３】
ＩＳＱファイルを、Ａｖｉｚｏ  ９．２．０に読み込む。０．１５のスケーリング係数を用いて８ビットに変換する。１１ｍｍだけオフセットされた１つの角部に対して斜めであるサブボリュームを選択する。分析のために厚さ３．５ｍｍのスラブを選択する。
【０１８４】
ロバストな自動閾値化スキームを適用するために、３つの試料のそれぞれからの断面スライスをＭａｔｌａｂ  Ｒ２０１６Ｂに読み込む。次いで、「ｍｕｌｔｉｔｈｒｅｓｈ（）」と呼ばれる関数を使用して、セグメントをＮ個の異なる領域（この例ではＮ＝２である）に分割する。この関数は、画像ヒストグラムの分布に基づいて最適なセグメント化を提供する、「大津の手法」と呼ばれる周知のアルゴリズムに基づく。次いで、３つの試料のこれらの閾値の平均値を選択した。この例では、繊維から粒子を分離する閾値は１２４であり、空気から繊維を分離する閾値は４８であった。半径１の球状構造化要素を使用する更なる拡張を、セグメント化された粒子データにおいて使用して、部分体積平均を補償する。次いで、Ａｖｉｚｏにおけるヒストグラム関数によって、繊維及び粒子及び総マスク体積に関連する総体積の計算が可能になる。次いで、総マスク体積から繊維及び粒子の体積を減じることから空隙体積が得られる。次いで、更なる分析又は可視化のために、これら結果をＥｘｃｅｌに転送してもよい。
【０１８５】
粒径密度：
粒径密度試験を使用して、合成顆粒洗剤の密度を測定する。
【０１８６】
カップ密度１リットルあたりの試料グラムの調製は、室温である製品上で測定される。小型パッキングのための試験を行うために、２つ以上のカートンが必要とされる場合がある。以下の表は、異なるサイズのカートンの好ましいサンプリングを示す。
【０１８７】
【表２】
2021535951.tif 000007
【０１８８】
試験を実行するために、１つはリットルカップであるべきである。次いで、漏斗の底部の開口部にプラグで栓をして、室温の試料を漏斗の中へと注ぐ（約３／４を満たす）。カップを満たして溢れさせるために十分な試料を使用するべきである。次いで、カップを位置決めスタンド上に、漏斗の中心の真下に設置する。プラグを解除し、試料がカップ内へと自由に流れることを確認する。カップを擦り取って、カップを完全かつ水平にする。擦り取りの前にカップを振動させない又はタップしないように、十分に注意する。
【０１８９】
最後に、カップ及び内容物を秤量する。密度（リットルあたりのグラム）は、カップ内の正味重量（ｇ）に等しい。
【０１９０】
洗浄残渣試験法
洗浄残留試験は、布地上の洗剤残渣を定性的に測定する。各試験は、４つの比較製品試料を含み、各製品試料について４回繰り返す。試験は、５０°Ｆ＋／−１°Ｆに設定された水温制御システムに接続されたＷｈｉｒｌｐｏｏｌ  Ｄｕｅｔ洗濯機（型番ＷＦＷ  ９２００  ＳＱＯ２）を使用する。
【０１９１】
黒色のビロードポーチは、Ｅｑｕｅｓｔ  Ｕ．Ｋ．（電話番号（０１２０７）５２９９２０）から供給されている。
１．材料供給源：Ｄｅｎｈｏｌｍｅ  Ｖｅｌｖｅｔｓ，Ｈａｌｉｆａｘ  Ｒｏａｄ，Ｄｅｎｈｏｌｍｅ，Ｂｒａｄｆｏｒｄ，Ｗｅｓｔ  Ｙｏｒｋｓｈｉｒｅ，Ｅｎｇｌａｎｄ  ＢＤ１３４ＥＺ（電話番号（０１２７４）８３２６４６）。
２．材料の種類：１５０ｃｍのＣ．Ｒ．Ｃｏｔｔｏｎ  Ｐｉｌｅ  Ｖｅｌｖｅｔ、品質８８９７、黒色、７２％綿、２８％モダール。
３．Ｅｑｕｅｓｔの縫合説明書：２３．５ｃｍ×４７ｃｍの黒色のビロードの矩形を切り取る。黒色のビロードの矩形を折り畳んで、内側がビロードの正方形を作る。オーバーロックステッチを使用し、正方形を２つの側面に沿って縫い付け、１つの開いた縁部を残す。ブランク識別ラベル（３×３ｃｍの平らな綿）を片側に縫い付ける。
【０１９２】
試験準備：
１．１つの開いている縁部において、ビロードが外側に来るようにポーチを裏返す。
２．製品コード及び内部／外部複製をマジックインキで識別ラベルに書き込む。
３．通常／中程度の汚れ及び通常／中程度の水硬度に対する水溶性単位用量製品の推奨される用量を、黒色ビロードポーチの右後角部に置く。
４．黒色ポーチの開放端部を２ｃｍの継ぎ目で折り畳み、開口部の全長に沿って幅２ｃｍの継ぎ目の中央において縫い目で閉じる。
５．合計で試験製品あたり４つの複製物を有するように、これら工程を繰り返す。
６．黒色ポーチを洗濯機に入れ、以下のとおり洗浄する。
【０１９３】
黒色ポーチの洗浄：
４つの黒色ビロードポーチを、交互に、図６に示すように、水溶性単位用量製品が全て互いに隣接するように互いに重ねて配置する。配置されたポーチをドラムの後部に置く。
【０１９４】
洗濯機をオンにし、デリケートな洗浄プログラムに設定し、５０°Ｆ＋／−１°Ｆ（水温制御システムを介して）及び硬度６ｇｐｇの混合水を使用し、追加のバラスト負荷は加えない。洗濯機で、洗浄サイクル全体を行う。洗浄サイクルの終了時に、ポーチを洗濯機から取り出し、確実に残渣を全くこぼさないように、３つの側面（折り畳まれた側を除いて全て）に沿って開ける。
【０１９５】
開けた直後にポーチを等級付けする。２人の独立した採点者の等級を記録する。データをラテン方格法として分析し、分析は、洗濯機及び製品位置を統計モデルに組み込む。最小二乗平均及び９５％信頼上限区間を構築する。水溶性単位用量製品は、平均目盛り単位の周りの９５％片側信頼上限区間が１未満である場合、試験に合格したとみなされる。
【０１９６】
洗浄後の袋の中／上に残っている残渣の目視観測によって等級付けを行う。
【０１９７】
以下の定性的尺度に従って黒色ポーチを等級付けする：
０＝残渣なし
０．５＝最大直径１ｃｍの非常に小さいスポット
１＝それぞれ最大直径２ｃｍの最高３つの小さな拡散スポット、スポットは平坦（すなわちフィルム様）であり、半透明である。
２＝それぞれ直径２ｃｍの３つを超える小さな拡散スポット、最大で黒色のポーチ全体が平坦な半透明の残渣で覆われる。
２．５＝直径１ｃｍ未満の小さな不透明残渣（すなわち、ゲル様）。
３＝直径１ｃｍ〜２ｃｍの不透明残基（例えば、ゲル様）。
４＝直径３ｃｍ〜４ｃｍの不透明残基（例えば、ゲル様）。
５＝直径４〜６ｃｍの直径を有する厚いゲル様残渣。
６＝直径＞６ｃｍの直径を有する厚いゲル様残渣。
７＝製品は、実質的に溶解せず、残渣は、軟らかくゲル様である。
８＝製品は、実質的に溶解せず、残渣は、硬く弾性であり（シリコーンのような感触）、グレード８は、製品が汚染されていた可能性があることを示すため、特別である。
【実施例】
【０１９８】
（実施例１）
図３に示すように、第１の紡糸ビームを使用して繊維要素の第１の層を紡糸し、形成ベルト上に回収する。次いで、繊維の第１の層を有する形成ベルトを、粒子添加システムで改造された第２の紡糸ビームの下を通過させる。粒子添加システムは、第２の紡糸ビームから繊維要素の直下にある形成ベルト上のランディングゾーンに向かって粒子を実質的に注入することができる。好適な粒子添加システムは、振動、ベルト又はスクリューフィーダなどの粒子フィーダ、及びエアナイフ又はその他の流動化搬送システムなどの射出システムから組み立てられてもよい。横断方向における粒子の一貫した分布を支援するために、好ましくは、粒子が複合構造体の全幅にわたって送達されることを確実にするために、粒子を紡糸ダイとほぼ同じ幅にわたって供給する。好ましくは、粒子フィーダは、粒子供給材料の破壊を最小限に抑えるために、出口を除いて完全に取り囲まれる。第２の紡糸ビーム下の形成ベルト上において粒子及び繊維要素が共衝突することによって、粒子パッキングが拡張され、繊維が粒子間孔に実質的に浸透する複合構造体が作り出される。
【０１９９】
以下の表３に、繊維要素を作製するために使用される、本発明の乾燥した繊維組成物の非限定的な例を記載する。繊維要素を作製するために、好ましくは約４５％〜６０％の固形分含有量を有する水溶液を、図３に示すように１つ以上の紡糸ビームを介して加工する。好適な紡糸ビームは、細長化空気流を有するキャピラリーダイと、形成ベルト上で衝突する前に細長化した繊維を実質的に乾燥させるのに好適な乾燥空気流とを含む。
【０２００】
【表３】
2021535951.tif 000008
【０２０１】
以下の表４に、本発明の粒子組成物の非限定的な例を記載する。粒子は、粉砕、噴霧乾燥、凝集、押出、造粒、封入、錠剤化、及びこれらの任意の組み合わせを含む種々の好適なプロセスによって作製することができる。添加前に１つ以上の粒子を互いに混合してもよい。
【０２０２】
【表４】
2021535951.tif 000009
【０２０３】
得られた製品を表５に例示し、製品のための未希釈のシャーシ組成物を用いて、繊維及び粒子成分（それぞれ表３及び表４から）による製品シャーシの構造の詳細を提供する。香料、酵素、泡抑制剤、漂白剤などのその他の製品補助材料をシャーシに添加してもよいことに留意されたい。
【０２０４】
各シャーシについての洗浄残渣試験等級を示す。シャーシは、かなりの比率のエトキシル化アニオン性界面活性剤（ＡＥＳ）を有する多様な洗剤製品を例示する。
【０２０５】
【表５】
2021535951.tif 000010
【０２０６】
【表６】
2021535951.tif 000011
【０２０７】
表５及び表６に示し、かつ上述したように、Ｃ１１及びＣ１２は、Ｆ２及びＰ１２の両方を含むが、Ｃ１３はＦ７及びＰ１３を含む。Ｐ１２及びＰ１３は、２５０ｇ／Ｌ〜４００ｇ／Ｌの密度、及びＤ１０が約３００マイクロメートル超であり、かつＤ９０が約１１００マイクロメートル未満であるような粒径分布を有することによって、その他の粒子に対して驚くべき利点を有する。更に、表４に示すように、Ｐ１２及びＰ１３の両方が１．０超のＬＡＳ：ＡＥＳ比を達成する。
【０２０８】
理論に束縛されるものではないが、ＬＡＳを別個のスラリー又はアグロメレーションに導入することによって生成される１を超えるＬＡＳ：ＡＥＳ比を有する粒子は、繊維ウェブを介してＬＡＳを導入する同様の量以上のＬＡＳを有する繊維性洗剤単位用量に対して、より良好な繊維性洗剤単位用量を生成することができる。アグロメレーションによって導入されるＬＡＳ粒子は、活性界面活性剤をより容易に洗浄することが可能な低密度粒子を生成すると考えられている。表５に示すように、低密度及び１を超えるＬＡＳ：ＡＥＳ比を示す粒子の使用は、平均等級及び０．０の標準偏差を有する残差試験の合格率をもたらす。これは、組成物がシャーシＣ８とは対照的に、有意な量の無機溶解助剤を必要としないという点で、特に有益である。比較では、１を超えるＬＡＳ：ＡＥＳ比を有するその他のシャーシはウェブ系を介してＬＡＳ導入し、かつ１を超えるＬＡＳ：ＡＥＳ比を有する粒子を利用せず（Ｃ１はＦ１及びＰ１を使用し、Ｃ２はＦ２及びＰ１を使用し、Ｃ４はＦ２及びＰ３を使用し、Ｃ６はＦ２及びＰ４を使用し、Ｃ８はＦ２及びＰ６を使用し、Ｃ１０はＦ２及びＰ８を使用）、不合格するか、又はより高い標準偏差を伴って合格するか、のどちらかで、清浄ではない結果をもたらす。前述のように、Ｃ８は無機溶解助剤（ゼオライト）を必要とする。更に、１：１の総ＬＡＳ：ＡＥＳ比を有するＣ１０によって示されるように、ウェブを通るＬＡＳの大部分をもたらすことができるシャーシである。
【０２０９】
表４に示すように、粒子は、５重量％未満の無機溶解助剤、好ましくは０重量％〜５重量％の無機溶解助剤、より好ましくは０．０１重量％〜３重量％の無機溶解助剤、更により好ましくは０．００１重量％〜１重量％の無機溶解助剤を含んでもよい。
【０２１０】
表５に示すように、水溶性単位用量物品は、５重量％未満の無機溶解助剤、好ましくは０重量％〜５重量％の無機溶解助剤、より好ましくは０．０１重量％〜３重量％の無機溶解助剤、更により好ましくは０．００１重量％〜１重量％の無機溶解助剤を含んでもよい。
【０２１１】
ＬＡＳ：ＡＥＳ比が１を超える低密度粒子を使用するこの効果は、より高密度の粒子、Ｐ４（表６に示される）を利用するＣ６によって更に例示され、表５、Ｐ４に示されるように、Ｆ２と組み合わせたものは１を超える総製品ＬＡＳ：ＡＥＳ比を含むため、残渣試験に合格しない。前述のように、理論に束縛されるものではないが、より低い密度の粒子は、溶解速度の増加を可能にし、したがって、界面活性剤をより容易に利用でき、界面活性剤の利用可能性を増加させながら残留物の可能性を低減する、と考えられている。
【０２１２】
実施例１の原材料
ＬＡＳは、Ｓｔｅｐａｎ（Ｎｏｒｔｈｆｉｅｌｄ，Ｉｌｌｉｎｏｉｓ，ＵＳＡ）又はＨｕｎｔｓｍａｎ  Ｃｏｒｐによって供給されている、平均脂肪族炭素鎖長Ｃ１１〜Ｃ１２を有する直鎖アルキルベンゼンスルホネートである。ＨＬＡＳは、酸形態である。
【０２１３】
ＡＥＳは、Ｓｔｅｐａｎ（Ｎｏｒｔｈｆｉｅｌｄ，Ｉｌｌｉｎｏｉｓ，ＵＳＡ）又はＳｈｅｌｌ  Ｃｈｅｍｉｃａｌｓ（Ｈｏｕｓｔｏｎ，ＴＸ，ＵＳＡ）によって供給されている、Ｃ１２〜Ｃ１４アルキルエトキシ（３）サルフェート、Ｃ１４〜Ｃ１５アルキルエトキシ（２．５）サルフェート、又はＣ１２〜Ｃ１５アルキルエトキシ（１．８）サルフェートである。
【０２１４】
ＡＳは、Ｓｔｅｐａｎ（Ｎｏｒｔｈｆｉｅｌｄ，Ｉｌｌｉｎｏｉｓ，ＵＳＡ）によって供給されているＣ１２〜Ｃ１４サルフェート、及び／又は中鎖分枝状アルキルサルフェートである。
【０２１５】
分散剤ポリマー（Ｄｉｓｐ．ポリマー）は、分子量７０、０００のアクリレートであり、マレアート比７０：３０である（ＢＡＳＦ（Ｌｕｄｗｉｇｓｈａｆｅｎ，Ｇｅｒｍａｎｙ）から供給される）。
【０２１６】
ＰＥＧ−ＰＶＡｃポリマーは、ポリエチレンオキシド主鎖及び複数のポリ酢酸ビニル側鎖を有する、ポリ酢酸ビニルグラフト化ポリエチレンオキシドコポリマーである。ポリエチレンオキシド骨格鎖の分子量は、約６０００であり、ポリエチレンオキシドのポリ酢酸ビニルに対する重量比は、約４０〜６０であり、５０のエチレンオキシド単位あたり１個以下のグラフト点である。ＢＡＳＦ（Ｌｕｄｗｉｇｓｈａｆｅｎｍ，Ｇｅｒｍａｎｙ）より販売される。
【０２１７】
エトキシル化ポリエチレンイミン（ＰＥ２０）は、−ＮＨあたり２０のエトキシレート基を有する、６００ｇ／モル分子量のポリエチレンイミンコアである。ＢＡＳＦ（Ｌｕｄｗｉｇｓｈａｆｅｎｍ，Ｇｅｒｍａｎｙ）より販売される。
【０２１８】
図４〜図１０は、新規設計を具現化する単回用量洗濯洗剤単位の一実施形態を示す。
【０２１９】
図１１〜図１８は、新規設計を具現化する単回用量洗濯洗剤単位の一実施形態を示す。
【０２２０】
図１８〜図２４は、新規設計を具現化する単回用量洗濯洗剤単位の一実施形態を示す。
【０２２１】
図２５〜図３１は、新規設計を具現化する単回用量洗濯洗剤単位の一実施形態を示す。
【０２２２】
図３２〜図３８は、新規設計を具現化する単回用量洗濯洗剤単位の一実施形態を示す。
【０２２３】
図３９〜図４５は、新規設計を具現化する蓋を有さない容器の一実施形態を示す。
【０２２４】
図４６〜図５２は、新規設計を具現化する蓋を有する容器の一実施形態を示す。
【０２２５】
本明細書に開示される寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」と開示された寸法は、「約４０ｍｍ」を意味することが意図される。
【０２２６】
明瞭にする目的のために、総「重量％」値は、１００重量％を超えない。
【０２２７】
相互参照される文書又は関連特許若しくは出願を含めた、本明細書に引用される全ての文書は、明示的に除外されるか又は特に限定されない限り、参照によりその全体が本明細書に組み込まれる。いかなる文献の引用も、本明細書中で開示又は特許請求される任意の発明に対する先行技術であるとはみなされず、あるいはそれを単独で又はその他の任意の参考文献（単数又は複数）と組み合わせたときに、そのようないかなる発明も教示、示唆又は開示するとはみなされない。更に、本文書における用語の任意の意味又は定義が、参照により組み込まれた文書内の同じ用語の任意の意味又は定義と矛盾する場合、本文書においてその用語に与えられた意味又は定義が適用されるものとする。
【０２２８】
本発明の特定の実施例及び／又は実施形態について図示し説明したが、本発明の趣旨及び範囲から逸脱することなく、その他の種々の変更及び修正を実施できることが当業者には明白であろう。したがって、本発明の範囲内にある全てのこのような変更及び修正を添付の特許請求の範囲に網羅することが意図されている。
【図１】
2021535951.tif 000012
【図２】
2021535951.tif 000013
【図３】
2021535951.tif 000014
【図４】
2021535951.tif 000015
【図５】
2021535951.tif 000016
【図６】
2021535951.tif 000017
【図７】
2021535951.tif 000018
【図８】
2021535951.tif 000019
【図９】
2021535951.tif 000020
【図１０】
2021535951.tif 000021
【図１１】
2021535951.tif 000022
【図１２】
2021535951.tif 000023
【図１３】
2021535951.tif 000024
【図１４】
2021535951.tif 000025
【図１５】
2021535951.tif 000026
【図１６】
2021535951.tif 000027
【図１７】
2021535951.tif 000028
【図１８】
2021535951.tif 000029
【図１９】
2021535951.tif 000030
【図２０】
2021535951.tif 000031
【図２１】
2021535951.tif 000032
【図２２】
2021535951.tif 000033
【図２３】
2021535951.tif 000034
【図２４】
2021535951.tif 000035
【図２５】
2021535951.tif 000036
【図２６】
2021535951.tif 000037
【図２７】
2021535951.tif 000038
【図２８】
2021535951.tif 000039
【図２９】
2021535951.tif 000040
【図３０】
2021535951.tif 000041
【図３１】
2021535951.tif 000042
【図３２】
2021535951.tif 000043
【図３３】
2021535951.tif 000044
【図３４】
2021535951.tif 000045
【図３５】
2021535951.tif 000046
【図３６】
2021535951.tif 000047
【図３７】
2021535951.tif 000048
【図３８】
2021535951.tif 000049
【図３９】
2021535951.tif 000050
【図４０】
2021535951.tif 000051
【図４１】
2021535951.tif 000052
【図４２】
2021535951.tif 000053
【図４３】
2021535951.tif 000054
【図４４】
2021535951.tif 000055
【図４５】
2021535951.tif 000056
【図４６】
2021535951.tif 000057
【図４７】
2021535951.tif 000058
【図４８】
2021535951.tif 000059
【図４９】
2021535951.tif 000060
【図５０】
2021535951.tif 000061
【図５１】
2021535951.tif 000062
【図５２】
2021535951.tif 000063
【国際調査報告】
2021535951.tif 000064
2021535951.tif 000065